(57)【要約】【課題】既存のＤＶＤ＋Ｒフォーマットと互換性を有すると共に、適切な記録パワーを設定することが可能な光記録媒体、記録装置及び記録方法を提供する。【解決手段】記録層を２層有し、各層の内周側試し書き領域ＴＺ０１、ＴＺ１１及び各層の外周側試し書き領域ＴＺ０２、ＴＺ１２が、各記録層間において完全にオーバラップしないよう配置されている。そして、例えば第１の記録層Ｌ０の内周側試し書き領域ＴＺ０１が配置される半径位置と同一半径位置に存在する他方の記録層である第２の記録層Ｌ１には、記録を開始しようとする記録層のデータ領域に対応する他の記録層の領域の状態を検出し、試し書き領域ＴＺ０１をデータ領域と同様の状態とし、記録層間でクロストークの影響を調整することが可能な調整領域ＡＡ１１が設けられている。【選択図】  図３
2005011404.tif 000002
【特許請求の範囲】
【請求項１】
少なくとも２以上の記録層を有し、一方の面から光が照射されることによって各記録層にデータの書き込みが可能な光記録媒体であって、
上記各記録層は同心円状又は螺旋状に記録トラックが設けられ、且つ各記録層はレーザ光の記録パワーを調整するための試し書きデータが書き込まれる試し書き領域を有し、
上記試し書き領域は、上記各記録層間において、少なくとも一部の領域が上記記録トラックの半径方向にオーバラップしないように配されている
ことを特徴とする光記録媒体。
【請求項２】
各記録層に少なくとも２以上の上記試し書き領域を有することを特徴とする請求項１記載の光記録媒体。
【請求項３】
上記試し書き領域は、上記各記録層間において、上記記録トラックの半径方向にオーバラップする領域を持たないように配されていることを特徴とする請求項１記載の光記録媒体。
【請求項４】
各記録層間において、一方の記録層の試し書き領域の少なくとも一部と同一半径位置の他方の記録層に、データを書き込みすることが禁止された記録禁止領域が設けられていることを特徴とする請求項１記載の光記録媒体。
【請求項５】
上記記録禁止領域は、データが記録されていない未記録領域か又は全面にデータが記録された記録済み領域である
ことを特徴とする請求項４記載の光記録媒体。
【請求項６】
各記録層間において、一方の記録層の試し書き領域の少なくとも一部と同一半径位置の他方の記録層に、ユーザデータを記録するデータ領域の状態に応じて、少なくとも一部にデータが記録された状態か又は未記録の状態かにされる調整領域が設けられていることを特徴とする請求項１記載の光記録媒体。
【請求項７】
上記２以上の記録層のうち、少なくとも１つの記録層に、有機色素が使用されていることを特徴とする請求項１記載の光記録媒体。
【請求項８】
上記２以上の記録層のうち、少なくとも１つの記録層は、相変化材料からなることを特徴とする請求項１記載の光記録媒体。
【請求項９】
上記２以上の記録層のうち、少なくとも１つの記録層に再生専用の領域を有することを特徴とする請求項１記載の光記録媒体。
【請求項１０】
少なくとも２以上の記録層を有する光記録媒体にデータを記録する記録装置において、
各記録層に同心円状又は螺旋状に記録トラックが設けられ、且つ各記録層にレーザ光の記録パワーを調整するための試し書きデータが書き込まれる試し書き領域が設けられ、該試し書き領域は、上記各記録層間において、少なくとも一部の領域が上記記録トラックの半径方向にオーバラップしないように配されている光記録媒体に対し、一方の面からレーザ光を照射して各記録層にデータを記録する記録手段と、
上記記録手段を制御する制御手段とを有し、
上記制御手段は、上記記録層に対してデータを記録する際に、少なくとも一の記録層の試し書き領域で試し書きを行わせ、該試し書き結果に基づき少なくとも１以上の記録層におけるレーザ光の記録パワーを設定する
ことを特徴とする記録装置。
【請求項１１】
上記光記録媒体は、各記録層に少なくとも２以上の上記試し書き領域を有するものであって、
上記制御手段は、上記光記録媒体の記録層に対してデータを記録する際に、データを記録する記録層における少なくとも１つの試し書き領域で試し書きを行わせる
ことを特徴とする請求項１０記載の記録装置。
【請求項１２】
上記光記録媒体は、上記各記録層間において、上記記録トラックの半径方向にオーバラップする領域を持たないように配された試し書き領域を有するものであって、
上記制御手段は、上記光記録媒体の記録層に対してデータを記録する際に、少なくとも一の記録層の試し書き領域で試し書きを行わせる
ことを特徴とする請求項１０記載の記録装置。
【請求項１３】
上記光記録媒体は、各記録層間において一方の記録層の試し書き領域の少なくとも一部と同一半径位置の他方の記録層に、データを書き込みすることが禁止された記録禁止領域が設けられたものであって、
上記制御手段は、上記光記録媒体の記録層に対してデータを記録する際に、当該記録禁止領域と同一半径位置の他方の記録層における試し書き領域で試し書きを行わせる
ことを特徴とする請求項１０記載の記録装置。
【請求項１４】
上記光記録媒体は、各記録層間において一方の記録層の試し書き領域の少なくとも一部と同一半径位置の他方の記録層に、ユーザデータを記録するデータ領域の状態に応じて、少なくとも一部にデータが記録された状態か又は未記録の状態かにされる調整領域が設けられたものであって、
上記制御手段は、上記光記録媒体の記録層に対してデータを記録する際に、当該調整領域と同一半径位置の他方の記録層における試し書き領域で試し書きを行わせる
ことを特徴とする請求項１０記載の記録装置。
【請求項１５】
上記制御手段は、一の記録層に対してデータを記録する際、データを記録する予定の記録予定データ領域と同一半径位置であって上記一の記録層とは異なる記録層にデータが記録されているか否かを検出し、該検出結果に基づき上記異なる記録層の上記調整領域を少なくとも一部にデータが記録された状態か又は未記録の状態とし、上記一の記録層の試し書き領域に試し書きを行わせる
ことを特徴とする請求項１４記載の記録装置。
【請求項１６】
上記調整領域は、データが記録されていない未記録の領域であって、
上記制御手段は、上記検出結果に基づき上記未記録領域にデータを書き込む
ことを特徴とする請求項１５記載の記録装置。
【請求項１７】
上記調整領域は、予め全面にデータが記録された記録済み領域であって、
上記制御手段は、上記検出結果に基づき上記記録済み領域のデータを消去することを特徴とする請求項１５記載の記録装置。
【請求項１８】
上記制御手段は、少なくとも１つの試し書き領域に試し書きを行った結果に基づき２以上の記録層の記録パワーを求める
ことを特徴とする請求項１０記載の記録装置。
【請求項１９】
上記制御手段は、上記試し書きを行わせる際、該試し書き領域を外周から内周に向かう方向へ使用させる
ことを特徴とする請求項１０記載の記録装置。
【請求項２０】
上記制御手段は、上記試し書きを行わせる際、データ記録を開始する予定の記録予定データ領域のアドレス近傍であって、同一の記録層にある試し書き領域で試し書きを行わせる
ことを特徴とする請求項１１記載の記録装置。
【請求項２１】
上記制御手段は、上記試し書きを行わせる際、データ記録を開始する予定の記録予定データ領域のアドレス近傍であって、異なる記録層にある試し書き領域で試し書きを行わせる
ことを特徴とする請求項１１記載の記録装置。
【請求項２２】
上記光記録媒体は、各記録層の内周及び外周に夫々内周側試し書き領域及び外周側試し書き領域が設けられたものであって、
上記制御手段は、同一記録層における上記内周側試し書き領域及び外周側試し書き領域で試し書きを行わせ、得られた試し書きの結果から同一記録層における内周と外周との感度差を検出する
ことを特徴とする請求項１１記載の記録装置。
【請求項２３】
上記制御手段は、上記感度差を検出した結果に基づき上記内周と外周とにおける感度差を補正しながら記録を行わせる
ことを特徴とする請求項２２記載の記録装置。
【請求項２４】
上記制御手段は、各記録層に設けられた１以上の試し書き領域で試し書きを行わせ、得られた試し書きの結果から異なる記録層間の感度差を検出する
ことを特徴とする請求項１０記載の記録装置。
【請求項２５】
上記制御手段は、上記異なる記録層間の感度差の検出結果に基づき、該記録層間での感度差を補正しながら記録を行わせる
ことを特徴とする請求項２４記載の記録装置。
【請求項２６】
上記制御手段は、各記録層に設けられた１以上の試し書き領域で試し書きを行わせ、得られた試し書きの結果から記録層間の信号振幅の差を検出する
ことを特徴とする請求項１０記載の記録装置。
【請求項２７】
上記制御手段は、上記検出した記録層間の信号振幅の差の補正として記録層間でのゲイン又はオフセットを補正する
ことを特徴とする請求項２６記載の記録装置。
【請求項２８】
記録層のアドレスフォーマットを少なくとも２以上有する光記録媒体に記録可能である
ことを特徴とする請求項１０記載の記録装置。
【請求項２９】
上記制御手段は、各記録層に設けられた１以上の試し書き領域で試し書きを行わせ、得られた試し書きの結果に基づき記録パワーを設定する
ことを特徴とする請求項１０記載の記録装置。
【請求項３０】
上記制御手段は、上記試し書きの結果に基づき記録又は再生スピードの変更制限を行う
ことを特徴とする請求項１０記載の記録装置。
【請求項３１】
上記制御手段は、上記試し書きの結果に基づき２以上の記録スピードに対応した記録パワーを予め求める
ことを特徴とする請求項１０記載の記録装置。
【請求項３２】
少なくとも２以上の記録層を有する光記録媒体にデータを記録する記録方法において、
各記録層に同心円状又は螺旋状に記録トラックが設けられ、且つ各記録層にレーザ光の記録パワーを調整するための試し書きデータが書き込まれる試し書き領域が設けられ、該試し書き領域は、上記各記録層間において、少なくとも一部の領域が上記記録トラックの半径方向にオーバラップしないように配されている光記録媒体に対し、一方の面からレーザ光を照射して各記録層にデータを記録する際に、少なくとも一方の記録層の試し書き領域で試し書きを行わせ、該試し書き結果に基づき少なくとも一方の記録層におけるレーザ光の記録パワーを設定する制御工程を有する
ことを特徴とする記録方法。
【請求項３３】
上記光記録媒体は、各記録層に少なくとも２以上の上記試し書き領域を有するものであって、
上記制御工程では、上記光記録媒体の記録層に対してデータを記録する際に、データを記録する記録層における少なくとも１つの試し書き領域で試し書きを行わせる
ことを特徴とする請求項３２記載の記録方法。
【請求項３４】
上記光記録媒体は、上記記録トラックの半径方向に、上記各記録層間においてオーバラップする領域を持たないように配された試し書き領域を有するものであって、
上記制御工程では、上記光記録媒体の記録層に対してデータを記録する際に、少なくとも一の記録層の試し書き領域で試し書きを行わせる
ことを特徴とする請求項３２記載の記録方法。
【請求項３５】
上記光記録媒体は、各記録層間において一方の記録層の試し書き領域の少なくとも一部と同一半径位置の他方の記録層に、データを書き込みすることが禁止された記録禁止領域が設けられたものであって、
上記制御工程では、上記光記録媒体の記録層に対してデータを記録する際に、当該記録禁止領域と同一半径位置の他方の記録層における試し書き領域で試し書きを行わせる
ことを特徴とする請求項３２記載の記録方法。
【請求項３６】
上記光記録媒体は、各記録層間において一方の記録層の試し書き領域の少なくとも一部と同一半径位置の他方の記録層に、ユーザデータを記録するデータ領域の状態に応じて、少なくとも一部にデータが記録された状態か又は未記録の状態かにされる調整領域が設けられたものであって、
上記制御工程では、上記光記録媒体の記録層に対してデータを記録する際に、当該調整領域と同一半径位置の他方の記録層における試し書き領域で試し書きを行わせる
ことを特徴とする請求項３２記載の記録方法。
【請求項３７】
上記制御工程では、一の記録層に対してデータを記録する際、データを記録する予定の記録予定データ領域と同一半径位置であって上記一の記録層とは異なる記録層にデータが記録されているか否かを検出し、該検出結果に基づき上記異なる記録層の上記調整領域を少なくとも一部にデータが記録された状態か又は未記録の状態とし、上記一の記録層の試し書き領域に試し書きを行わせる
ことを特徴とする請求項３６記載の記録方法。
【請求項３８】
上記調整領域は、データが記録されていない未記録の領域であって、
上記制御工程では、上記検出結果に基づき上記未記録領域にデータを書き込む
ことを特徴とする請求項３７記載の記録方法。
【請求項３９】
上記調整領域は、予め全面にデータが記録された記録済み領域であって、
上記制御工程では、上記検出結果に基づき上記記録済み領域のデータを消去する
ことを特徴とする請求項３７記載の記録方法。
【請求項４０】
上記制御工程では、上記試し書きを行わせる際、データ記録を開始する予定の記録予定データ領域のアドレス近傍であって、同一の記録層にある試し書き領域で試し書きを行わせる
ことを特徴とする請求項３３記載の記録方法。
【請求項４１】
上記制御工程では、上記試し書きを行わせる際、データ記録を開始する予定の記録予定データ領域のアドレス近傍であって、異なる記録層にある試し書き領域で試し書きを行わせる
ことを特徴とする請求項３３記載の記録方法。
【請求項４２】
上記光記録媒体は、各記録層の内周及び外周に夫々内周側試し書き領域及び外周側試し書き領域が設けられたものであって、
上記制御工程では、同一記録層における上記内周側試し書き領域及び外周側試し書き領域で試し書きを行わせ、得られた試し書きの結果から同一記録層における内周と外周との感度差を検出する
ことを特徴とする請求項３３記載の記録方法。
【請求項４３】
上記制御工程では、上記感度差を検出した結果に基づき上記内周と外周とにおける感度差を補正しながら記録を行わせる
ことを特徴とする請求項４２記載の記録方法。
【請求項４４】
上記制御工程では、各記録層に設けられた１以上の試し書き領域に試し書きを行わせ、得られた試し書きの結果から異なる記録層間の感度差を検出する
ことを特徴とする請求項３２記載の記録方法。
【請求項４５】
上記制御工程では、上記異なる記録層間の感度差の検出結果に基づき、該記録層間での感度差を補正しながら記録を行わせる
ことを特徴とする請求項４４記載の記録方法。
【請求項４６】
上記制御工程では、各記録層に設けられた１以上の試し書き領域で試し書きを行わせ、得られた試し書きの結果から記録層間の信号振幅の差を検出する
ことを特徴とする請求項３２記載の記録方法。
【請求項４７】
上記制御工程では、上記検出した記録層間の信号振幅の差の補正として記録層間でのゲイン又はオフセットを補正する
ことを特徴とする請求項４６記載の記録方法。
【請求項４８】
上記制御工程では、上記試し書きの結果に基づき記録又は再生スピードの変更制限を行う
ことを特徴とする請求項３２記載の記録方法。
【請求項４９】
上記制御工程では、上記試し書きの結果に基づき２以上の記録スピードに対応した記録パワーを予め求める
ことを特徴とする請求項３２記載の記録方法。
【発明の詳細な説明】
【０００１】
【発明の属する技術分野】
本発明は、記録可能な記録層を複数有する光ディスク等の光記録媒体、並びに光記録媒体に対してレーザ光にてデータを記録する記録装置及び記録方法に関する。
【０００２】
【従来の技術】
データが記録可能な光ディスクとして、ＣＤ−Ｒ（Ｃｏｍｐａｃｔ  Ｄｉｓｃ−Ｒｅｃｏｒｄａｂｌｅ）、ＣＤ−ＲＷ（ＣＤ−Ｒｅｗｒｉｔａｂｌｅ）、ＤＶＤ−Ｒ（Ｄｉｇｉｔａｌ  Ｖｉｄｅｏ  Ｄｉｓｃ−Ｒｅｃｏｒｄａｂｌｅ）、ＤＶＤ−ＲＷ、ＤＶＤ＋Ｒ、ＤＶＤ＋ＲＷ、及びＤＶＤ−ＲＡＭ（ＤＶＤ−Ｒａｎｄｏｍ  Ａｃｃｅｓｓ  Ｍｅｍｏｒｙ）等が知られている。ＣＤ−Ｒ、ＤＶＤ−Ｒ、ＤＶＤ＋Ｒは、記録層が有機系の光反応色素から構成されている１回のみ記録が可能ないわゆるライトワンス型の光ディスクである。このようなライトワンス型の光ディスクは、例えばシアニン系、フタロシアニン系、又はアゾ系色素等の有機色素を使用した有機色素層にレーザ光を照射し、そのレーザ光のエネルギで有機色素層を熱反応させることにより、データが記録されるものである。また、ＣＤ−ＲＷ、ＤＶＤ−ＲＷ、ＤＶＤ＋ＲＷ、ＤＶＤ−ＲＡＭは、記録層が相変化材料から構成された複数回の記録が可能な相変化型の光ディスクである。このような相変化型の光ディスクは、例えばポリオレフィン等の樹脂基板上に例えばＺｎＳ−ＳｉＯ２からなる保護層に挟まれた例えばＧｅＩｎＳｂＴｅ、ＡｇＩｎＳｂＴｅ、又はＧｅＳｂＴｅ等からなる相変化層（記録層）に所定のパワーのレーザ光を照射して、その相変化層の結晶構造をクリスタルとアモルファスとの間で転移させることにより、データが記録されるものである。
【０００３】
これらＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、及びＤＶＤ−ＲＡＭ等に代表される光記録媒体における最大記録容量は、線速度とトラックピッチとにより規定され、最大記録容量以上は記録することはできない。ここで、この最大記録容量を増やすためには以下の方法がある。
（１）データ圧縮のための新コーディックの導入
（２）波長の短いレーザや高ＮＡのレンズの組み合わせ
（３）記録層を両面に形成
（４）光記録媒体の厚み方向へ記録層を幾層にも重ね合わせる（多層記録技術）
【０００４】
ここで、例えば上記（１）の方法は、ＭＰＥＧ（Ｍｏｖｉｎｇ  Ｐｉｃｔｕｒｅ  Ｅｘｐｅｒｔｓ  Ｇｒｏｕｐ）４形式のデータ等を使用することができる。また、上記（２）の方法は、例えば青紫レーザや、ＮＡ＝０．８５を使用したＢｌｕｅ−ｒａｙディスク等である。また、上記（３）の方法は、例えばＤＶＤ−ＲＡＭ等である。
【０００５】
ところで、これらライトワンス型や相変化型の光ディスクに対してデータを記録する場合、記録層に与えられるレーザ光の照射エネルギが大きすぎたり或いは小さすぎたりすると、形成された記録マークの形状やエッジに歪みが生じてしまい、記録したデータの再生特性が悪化してしまう。そのため、データの記録時には、レーザ光のパワーを書き込みに適した値に設定する必要がある。しかしながら、レーザ光を出力するレーザダイオードは、温度変化に対する例えば波長などや記録速度による出力変動が非常に大きく、また、記録層の感応特性も光ディスク毎に個体差がある。従って、このようなライトワンス型や相変化型の光ディスクには、記録パワーの調整用の試し書き領域が設けられている。ディスクドライブは、データの記録時に、この試し書き領域で一旦データの試し書きを行い、十分なデータの再生特性が得られる記録パワーを求めたのち、データの記録を行う。
【０００６】
上記（４）の方法、即ち記録層を複数層有する光記録媒体においては、各記録層において、レーザ光の適切な記録パワーを求める必要がある。従って、例えば下記特許文献１には、複数の記録層を有する光ディスクに対して適切な記録条件（記録波形パラメータ）を設定するために、各記録層に試し書き領域を設け、光ビームの入射面から最も遠い記録層から順に記録波形パラメータを学習し、ユーザデータを記録する際は、上記学習順の記録層から記録を行う技術が開示されている。
【０００７】
また、下記特許文献２には、多層光ディスクの２層目以降の情報記録層に対して情報を記録する際に、その情報記録層より入射側に位置する記録層の記録状態により透過光量が変化しても記録レーザ光のレーザパワーの適切な制御を行うため、試し書きを行う記録パワーテスト領域を例えば３層の記録層であれば、周方向で２つに分割する。そして、第２層の一方の記録パワーテスト領域に対応するレーザ入射側の層（第１層）の領域を消去状態とし最も透過率が低い状態としたときのレーザパワーを求める。また、第３層の他方の記録パワーテスト領域に対応するレーザ入射側の層（第１層及び第２層）の領域を消去状態とし最も透過率が低い状態としたときのレーザパワーを求める。そして、記録レーザビームの戻り光レベルを検出し、試し書きにより求めたレーザパワーを、上記戻り光レベルに基づき制御する技術が開示されている。
【０００８】
【特許文献１】
特開２００３−３０８４２号公報
【特許文献１】
特開２００３−２２５３２号公報
【０００９】
【発明が解決しようとする課題】
ところで、これら各光記録媒体は、各規格に従ってフォーマットが決まっており、これにより、記録再生装置が適切な記録パワーを求めたり、データを再生したりするような処理を的確に行うことができる。
【００１０】
ここで、追記型の多層構造のディスクについては、規格が存在せず、従って追記型の多層構造のディスクにいても規格化が望まれている。ＤＶＤのように記録密度を高めた記録媒体において、高速書き込みを実現しようとすると、記録感度の誤差が大きくなり、レーザ光の記録パワーの僅かな違いによってもエラーレート等に影響するため、最適な記録パワーを求めることが重要となってくる。また、従来の追記型の単層構造のディスクの各規格と互換性を持たせれば、同一の記録装置で記録することができて便利である。
【００１１】
本発明は、このような従来の実情に鑑みて提案されたものであり、既存のフォーマットとの互換性を有すると共に、適切な記録パワーを設定することが可能な光記録媒体、記録装置及び記録方法を提供することを目的とする。
【００１２】
【課題を解決するための手段】
上述した目的を達成するために、本発明に係る光記録媒体は、少なくとも２以上の記録層を有し、一方の面から光が照射されることによって各記録層にデータの書き込みが可能な光記録媒体であって、上記各記録層は同心円状又は螺旋状に記録トラックが設けられ、且つ各記録層はレーザ光の記録パワーを調整するための試し書きデータが書き込まれる試し書き領域を有し、上記試し書き領域は、上記各記録層間において、少なくとも一部の領域が上記記録トラックの半径方向にオーバラップしないように配されていることを特徴とする。
【００１３】
本発明においては、多層の記録層からなる光記録媒体の各記録層に試し書き領域を設ける際、各記録層間における試し書き領域の少なくとも一部が半径方向においてオーバラップしないように配置することにより、記録を開始しようとする記録層と同一半径位置における他の記録層の状態を検知し、例えばオーバラップしない領域を、上記他の記録層の状態と同様の状態としてから試し書きを行うことができ、極めて正確に記録パワーを求めることができる。ここで、本発明における光記録媒体とは、光ディスクに限らず、同心円状又は螺旋状に記録トラックが設けられた光カード等の光記録媒体を含むものとする。
【００１４】
また、各記録層に少なくとも２以上の上記試し書き領域を有することができ、これにより、ＤＶＤ＋Ｒのフォーマットに則した多層光記録媒体を構成したり、複数の試し書き領域で記録パワーのキャリブレーションを行うことができる。
【００１５】
更に、上記試し書き領域は、上記各記録層間において、上記記録トラックの半径方向にオーバラップする領域を持たないように配されていることができ、各記録層間で、試し書き領域を全くオーバラップしないように配することで、全ての試し書き領域を、データ領域と同様の状態にしてから試し書きを行うことができる。
【００１６】
更にまた、各記録層間において、一方の記録層の試し書き領域の少なくとも一部と同一半径位置の他方の記録層に、ユーザデータを記録するデータ領域の状態に応じて、少なくとも一部にデータが記録された状態か又は未記録の状態かにされる調整領域が設けられているものとすることができ、データ領域と隣接する記録層にデータが記録されているか否かによって、調整領域を記録済み状態か否かにすれば、データ領域と同一の状態の試し書き領域とすることができる。
【００１７】
本発明に係る記録装置は、少なくとも２以上の記録層を有する光記録媒体にデータを記録する記録装置において、各記録層に同心円状又は螺旋状に記録トラックが設けられ、且つ各記録層にレーザ光の記録パワーを調整するための試し書きデータが書き込まれる試し書き領域が設けられ、該試し書き領域は、上記各記録層間において、少なくとも一部の領域が上記記録トラックの半径方向にオーバラップしないように配されている光記録媒体に対し、一方の面からレーザ光を照射して各記録層にデータを記録する記録手段と、上記記録手段を制御する制御手段とを有し、上記制御手段は、上記記録層に対してデータを記録する際に、少なくとも一の記録層の試し書き領域で試し書きを行わせ、該試し書き結果に基づき少なくとも１以上の記録層におけるレーザ光の記録パワーを設定することを特徴とする。
【００１８】
本発明においては、多層の記録層を有する光記録媒体の試し書き領域が各記録層間で少なくとも一部がオーバラップしないものとすることで、試し書きを行う際に、記録を開始しようとする領域と同様の状態の試し書き領域を用意することができ、また、各記録層に試し書き領域を有しているため、１の試し書き領域に試し書きをして他の記録層の記録パワーを求めたり、複数の記録層の試し書き領域にて試し書きを行って記録パワーを求め、これらの結果から１の記録層の記録パワーを求めることも可能となる。
【００１９】
また、上記光記録媒体は、各記録層間において一方の記録層の試し書き領域の少なくとも一部と同一半径位置の他方の記録層に、ユーザデータを記録するデータ領域の状態に応じて、少なくとも一部にデータが記録された状態か又は未記録の状態かにされる調整領域が設けられたものであって、上記制御手段は、上記光記録媒体の記録層に対してデータを記録する際に、当該調整領域と同一半径位置の他方の記録層における試し書き領域で試し書きを行わせることができる。
【００２０】
この場合、上記制御手段は、一の記録層に対してデータを記録する際、データを記録する予定の記録予定データ領域と同一半径位置であって上記一の記録層とは異なる記録層にデータが記録されているか否かを検出し、該検出結果に基づき上記異なる記録層の上記調整領域を少なくとも一部にデータが記録された状態か又は未記録の状態とし、上記一の記録層の試し書き領域に試し書きを行わせることができ、各記録層間のクロストークの影響等を考慮した記録パワーを求めることができる。
【００２１】
更に、上記制御手段は、上記試し書きを行わせる際、データ記録を開始する予定の記録予定データ領域のアドレス近傍であって、同一の記録層にある試し書き領域で試し書きを行わせることができ、これにより、試し書き領域へのアクセスが速くなる等試し書きの時間が短くなり、記録パワーを求める処理が迅速化する。
【００２２】
更にまた、上記制御手段は、上記制御手段は、上記試し書きを行わせる際、データ記録を開始する予定の記録予定データ領域のアドレス近傍であって、異なる記録層にある試し書き領域で試し書きを行わせることができ、例えば同一記録層における試し書き領域が全て使用済みである場合等においては、他の記録層の試し書き領域を使用して試し書きを行って記録パワーを求めることができる。
【００２３】
また、少なくとも記録層の記録フォーマットを２以上有する光記録媒体に記録可能とすることができ、例えば１層目がＤＶＤ＋Ｒフォーマットとし、２層目をＤＶＤ−Ｒフォーマットとしてもよい。
【００２４】
更に、上記光記録媒体は、各記録層の内周及び外周に夫々内周側試し書き領域及び外周側試し書き領域が設けられたものであって、上記制御手段は、同一記録層における上記内周側試し書き領域及び外周側試し書き領域で試し書きを行わせ、得られた試し書きの結果から同一記録層における内周と外周との感度差を検出することができ、また、上記感度差を検出した結果に基づき上記内周と外周とにおける感度差を補正しながら記録を行わせることができ、各記録層の内周側及び外周側に試し書き領域を設けた光記録媒体に試し書きを行う際は、双方で試し書きを行って、内周側と外周側との感度差を検出して補正することで、更に最適な記録パワーで記録可能となる。
【００２５】
更にまた、上記制御手段は、各記録層に設けられた１以上の試し書き領域に試し書きを行わせ、得られた試し書きの結果から異なる記録層間の感度差を検出し、上記異なる記録層間の感度差の検出結果に基づき、該記録層間での感度差を補正しながら記録を行わせることができ、各記録層に試し書きを設けることで、各記録層間の感度差を補正することができる。
【００２６】
また、上記制御手段は、各記録層に設けられた１以上の試し書き領域に試し書きを行わせ、得られた試し書きの結果から記録層間の信号振幅の差を検出し、上記検出した記録層間の信号振幅の差の補正として記録層間でのゲイン又はオフセットを補正することができる。
【００２７】
更に、上記制御手段は、上記試し書きの結果に基づき記録スピードの変更制限を行うことができ、上記試し書きの結果に基づき２以上の記録スピードに対応した記録パワーを予め求めることができる。
【００２８】
本発明に係る記録方法は、少なくとも２以上の記録層を有する光記録媒体にデータを記録する記録方法において、各記録層に同心円状又は螺旋状に記録トラックが設けられ、且つ各記録層にレーザ光の記録パワーを調整するための試し書きデータが書き込まれる試し書き領域が設けられ、該試し書き領域は、上記各記録層間において、少なくとも一部の領域が上記記録トラックの半径方向にオーバラップしないように配されている光記録媒体に対し、一方の面からレーザ光を照射して各記録層にデータを記録する際に、少なくとも一方の記録層の試し書き領域で試し書きを行わせ、該試し書き結果に基づき少なくとも一方の記録層におけるレーザ光の記録パワーを設定する制御工程を有することを特徴とする。
【００２９】
【発明の実施の形態】
以下、本発明を適用した具体的な実施の形態について、図面を参照しながら詳細に説明する。この実施の形態は、本発明を、記録層を複数有した場合であっても、最適な記録パワーを設定することが可能な光ディスク及びその記録再生装置に適用したものである。ここでは先ず、本発明の実施の形態に係る記録再生装置の概要について説明し、次に、本発明の実施の形態に係る光記録媒体について説明する。
【００３０】
（１）装置概要
図１は、本発明の実施の形態における２層記録に対応した記録再生装置（ＣＤ／ＤＶＤ±Ｒ／ＲＷドライブ）を示すブロック図である。
【００３１】
図１に示す本実施の形態における光ディスク記録再生装置１０１は、ホストコンピュータから与えられるデータを光記録媒体としての光ディスク１０２に記録したり、これを光ディスク１０２から再生したりすることができるようになされている。光ディスク１０２についての詳細は後述するが、本実施の形態における光ディスク１０２は、少なくとも２層の記録層を有し、各記録層の内周側及び外周側に記録パワーの調整用の試し書き（Ｏｐｔｉｍｕｍ  Ｐｏｗｅｒ  Ｃａｌｉｂｒａｔｉｏｎ  ：ＯＰＣ）をするデータが書き込まれる試し書き領域（Ｐｏｗｅｒ  Ｃａｌｉｂｒａｔｉｏｎ  Ａｒｅａ：ＰＣＡ）を有したものである。
【００３２】
本実施の形態における光ディスク記録再生装置１０１は、ホストコンピュータ１０３、システム制御部１０４、バッファメモリ１０５、記録信号処理部１０６、光ピックアップ１０７、ＲＦ信号処理部１０８、レーザ出力設定部１０９、サーボ制御部１１０、スピンドルモータ１１１、回転制御部１１２、デコード部１１４とを有する。
【００３３】
即ち、かかる光ディスク記録再生装置１０１においては、記録モード時、ホストコンピュータ１０３から順次与えられるデータをシステム制御部１０４内のインターフェース部（ＡＴＡＰＩ（ＡＴ  Ａｔｔａｃｈｍｅｎｔ  Ｐａｃｋｅｔ  Ｉｎｔｅｒｆａｃｅ），ＳＣＳＩ（Ｓｍａｌｌ  Ｃｏｍｐｕｔｅｒ  Ｓｙｓｔｅｍ  Ｉｎｔｅｒｆａｃｅ），ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、ＵＳＢ（Ｕｎｉｖｅｒｓａｌ  Ｓｅｒｉａｌ  Ｂｕｓ）等）を介して内部に取り込み、これをシステム制御部１０４内のエンコーダ部を介してバッファメモリ１０５に順次格納するようになされている。
【００３４】
システム制御部１０４内のエンコーダ部は、図示しないレイヤードＥＣＣ（Ｅｒｒｏｒ  Ｃｏｒｒｅｃｔｉｎｇ  Ｃｏｄｅ）付加処理部、ＣＩＲＣ（Ｃｒｏｓｓ  ｉｎｔｅｒｌｅａｖｅ  Ｒｅａｄ−Ｓｏｌｏｍｏｎ  Ｃｏｄｅ）エンコード処理部、及びＥＳＭ（８−１６変調、Ｅｉｇｈｔ  ｔｏ  Ｓｉｘｔｅｅｎ  Ｍｏｄｕｌａｔｉｏｎ）変調処理部から構成され、バッファメモリに格納したデータをセクタ単位で順次読み出し、当該データにレイヤードＥＣＣ付加部において誤り訂正符号を付加すると共に、ＣＩＲＣエンコード処理部においてＣＩＲＣエンコード処理及び同期データの挿入処理を施し、更にＥＳＭ変調処理部においてＥＳＭ変調処理を施した後、かくして得られた書き込みデータを記録信号処理部１０６を介して光ピックアップ１０７に送出する。
【００３５】
光ピックアップ１０７は、図示しないレーザダイオード、コリメータレンズ、対物レンズ及び受光素子などの光学系デバイスと、レーザダイオードドライバー等の電気系デバイスとを有し、供給される書き込みデータに応じて変調した光ビームを光ディスク１０２の記録面に照射する。
【００３６】
また、このときの光ピックアップ１０７は、光ディスク１０２からの反射光に基づいて、ＲＦ信号処理部１０８にてトラッキングエラー信号及びフォーカスエラー信号等のサーボエラー信号とプッシュプル信号とを生成する。ＲＦ信号処理部１０８は、サーボエラー信号をサーボ制御部１１０に送出すると共に、プッシュプル信号の帯域制限及びゲイン調整等の処理を行った後、これをＬＰＰ（Ｌａｎｄ  Ｐｒｅ−Ｐｉｔ）／ＡＤＩＰ（Ａｄｄｒｅｓｓ  ｉｎ  Ｐｒｅ−ｇｒｏｏｖｅ）アドレス・デコーダ部１１４に送出する。
【００３７】
レーザ出力設定部１０９は、ＲＦ信号処理部１１０から記録データが入力され、この記録データに応じて光ピックアップ１０７のレーザダイオードのレーザパワーを設定する。
【００３８】
サーボ制御部１１０は、供給されるサーボエラー信号に基づいてスピンドルドライバ（回転制御部）１１２を介してスピンドルモータ１１１を制御することにより、光ディスク１０２を所定速度で回転駆動する。スピンドルモータ１１２は、例えば、ターンテーブルやチャッキング機構によって保持されている光ディスク１０２を回転駆動する。回転制御部１１３は、システム制御部１０４からの制御に応じて、スピンドルモータ１１２の駆動制御を行う。
【００３９】
また、サーボ制御部１１０は、サーボエラー信号に基づいてスレッドドライバを介してスレッドモータを制御することにより、光ディスク１０２上の光ビームのビームスポット（以下、単にビームスポットという。）を光ディスク１０２の記録面に形成されたデータトラック（プリグルーブ又はランド）に沿って当該光ディスク１０２の径方向に移動させる。更にサーボ制御部１１０は、サーボエラー信号に基づいて２軸アクチュエータードライバを介して光ピックアップ１０７内の図示しない２軸アクチュエーターを制御することにより、トラッキング制御及びフォーカス制御を行う。
【００４０】
一方、ＬＰＰ／ＡＤＩＰアドレスデコード部１１４は供給されるプッシュプル信号をデコード処理することにより、光ディスクにおけるそのときどきのビームスポットの絶対番地を検出し、ＤＶＤ−Ｒ及びＤＶＤ−ＲＷの場合にはＬＰＰ信号を、ＤＶＤ＋Ｒ及びＤＶＤ＋ＲＷの場合にはＡＤＩＰ信号のアドレス情報をシステム制御部１０４のＣＰＵ（Ｃｅｎｔｒａｌ  Ｐｒｏｃｅｓｓｉｎｇ  Ｕｎｉｔ）に送出する。
【００４１】
また、ＬＰＰ／ＡＤＩＰアドレスデコード部１１４は、上述のようなデコード処理により得られる光ディスク１０２上での絶対番地が変化する毎、即ち光ディスク１０２におけるビームスポットが走査するセクタが変わる毎に、これを知らせるシンク割り込み信号をシステム制御部１０４内のＣＰＵへ送出する。
【００４２】
かくしてシステム制御部１０４内のＣＰＵは、ＬＰＰ／ＡＤＩＰデコーダ部１１４から与えられる絶対時間情報信号及びシンク割込信号に基づいて、光ディスク１０２におけるその時の記録位置を順次認識し、当該認識結果に基づいて記録データを正しく光ディスク１０２に記録し得るように、必要な制御処理を実行する。
【００４３】
これに対して再生モード時、システム制御部１０４内ＣＰＵは、サーボ制御部１１０を制御することにより、上述の記録モード時と同様にして、光ディスク１０２を所定速度で回転駆動させると共に、ビームスポットを光ディスク１０２のデータトラックに沿って移動させ、且つトラッキング制御及びフォーカス制御を行わせる。
【００４４】
またシステム制御部１０４のＣＰＵは、上述した光ピックアップ１０７内のレーザダイオードを駆動させることにより光ビームを光ディスク１０２に向けて照射させる。この結果この光ビームが光ディスク１０２の記録面において反射し、その反射光に基づき得られるＲＦ信号でなる光ディスク１０２から読み出された読み出しデータが光ピックアップ１０７からＲＦ信号処理部１０８を介してシステム制御部１０４内のデコーダ部に与えられる。
【００４５】
デコーダ部は、図示しないＰＬＬ（Ｐｈａｓｅ  Ｌｏｃｋｅｄ  Ｌｏｏｐ）回路、同期データ検出部、ＥＳＭ復調部、ＣＩＲＣデコード部及びレイヤードＥＣＣ復調部から構成されており、ＰＬＬ回路において供給される読み出しデータと共に同期検出部に送出される。
【００４６】
同期データ検出部は、供給されるクロックＣＬＫに基づいて、上述した同期データのデータパターンよりも前後に所定ビットずつ大きいパルス幅の同期データ検出用のウインドウパルスを生成する。そして同期データ検出部は、この同期データ検出用ウインドウパルスを順次検出すると共に、検出結果に基づいて、読み出しデータを所定単位で順次ＥＳＭ復調部へ送出する。
【００４７】
そしてこの読み出しデータは、この後ＥＳＭ復調部においてＥＳＭ復調処理され、ＣＩＲＣでコード部においてＣＩＲＣ複号化処理され、さらにレイヤードＥＣＣ復調部において誤り訂正処理が施されることにより記録前のフォーマットのデータに変換され、この後インターフェース回路を介してホストコンピュータ１０３に送出される。
【００４８】
このようにしてこの光ディスク装置１０１では、ホストコンピュータ１０３から与えられるデータを光ディスク１０２に記録したり、当該光ディスク１０２に記録されているデータを再生してホストコンピュータ１０３に送出したりすることができるようになされている。
【００４９】
ここで、システム制御部１０４は、データ記録時に、光ピックアップ１０７のレーザダイオードの記録パワーを調整するパワーキャリブレーション（ＰＣＡＬ）の制御を行う。このパワーキャリブレーションは、以下のように行われる。
【００５０】
先ず、システム制御部１０４は、記録速度と、その記録速度に対応するレーザ光のパワーの初期値を設定する。記録速度は、データを記録する線速度である。この線速度は、通常の記録速度に対して、例えばＣＬＶ（Ｃｏｎｓｔａｎｔ  Ｌｉｎｅａｒ  ｖｅｌｏｃｉｔｙ）記録の場合には、１倍速、４倍速、８倍速といったように、通常の記録速度に対する倍数で設定されてもよいし、例えばＣＡＶ（Ｃｏｎｓｔａｎｔ  Ａｎｇｕｌａｒ  Ｖｅｌｏｃｉｔｙ）記録のような場合には２．８倍速、５．２倍速、６．４倍速など倍数以外の記録速度に設定してもよい。続いて、システム制御部１０４は、光ディスク１０２の試し書き領域に対して、設定された線速度並びに初期パワーで、試し書きデータを書き込む。続いて、その試し書きデータを読み出して、例えばその再生データのエラー率やジッタ量、信号振幅等の記録及び／又は再生特性を示すパラメータを検出する。続いて、この記録及び／又は再生特性を示すパラメータを判断して、レーザ光のパワーが記録をするのに適したパワーであるか否かを判断する。記録に適したパワーであれば、そのときのレーザ光のパワーを記録パワーとして設定する。また、記録に適してないパワーであれば、レーザ光のパワーを変更して、記録に適したパワーが得られるまで、以上の処理を繰り返して行う。
【００５１】
システム制御部１０４は、光ディクスクの各記録層において、例えば内周側及び外周側に設け試し書き領域を用いて以上のようなパワーキャリブレーション制御を行い、データ記録時のレーザ光のパワーを求める。
【００５２】
（２）光記録媒体
次に、複数の記録層を有する本実施の形態における光記録媒体としての光ディスク１０２について説明する。本実施の形態における光ディスク１０２は、少なくとも２以上の記録層を有し、一方の面から光が照射されることによって各記録層にデータの書き込みが可能であって、各記録層は同心円状又は螺旋状に記録トラックが設けられ、且つ各記録層はレーザ光の記録パワーを調整するための試し書きデータが書き込まれる試し書き領域を有している。そして、この試し書き領域は、記録トラックの半径方向に、各記録層間において少なくとも一部はオーバラップしない領域を有するように配されているものである。
【００５３】
なお、以下の説明においては、複数の記録層を有する光ディスクを２層の記録層を有する光ディスクとして説明するが、記録層の数はこれに限らず、３層以上あってもよく、また、光記録媒体は、光ディスクに限らず、複数の記録層を有し、各記録層に試し書き領域を有するものであれば本発明を適用でき、外形形状は円盤型に限らず、例えばカード型又はたる型等の種々の形状の光記録媒体に適用することができる。
【００５４】
また、本実施の形態における光ディスクは、各記録層の内周側及び外周側の２箇所に試し書き領域を有するＤＶＤ＋Ｒフォーマットに準じたものとして説明するが、ＤＶＤ＋Ｒに限らず、例えば試し書き領域が各記録層に１箇所設けられたＤＶＤ−Ｒ等に準じたものであってもよい。
【００５５】
本実施の形態における光ディスクは、例えば、図２においては、例えば、レーザ光入射側に配置される第１の記録層Ｌ０の内周側試し書き領域ＴＺ０１と、第１の記録層Ｌ０のレーザ光入射側とは反対側に配置される第２の記録層Ｌ１の内周側ＴＺ１１とにおいて、少なくとも一部がオーバラップしない領域を有している。また、図３乃至図５においては、例えば第１の記録層Ｌ０の試し書き領域ＴＺ０１と第２の記録層Ｌ１の試し書き領域ＴＺ１１とは完全にオーバラップしないよう配置されている。
【００５６】
本発明においては、このように、試し書き領域を半径方向にずらして形成することにより、データ領域にてユーザデータを記録するための記録パワーの調整を最適に行うことができる。以下、その理由について説明する。
【００５７】
先ず、記録層を複数有する光ディスクにおける記録方法を、従来の記録層が１つの光ディスクと比較して説明する。図６（ａ）及び（ｂ）は、夫々２層及び１層構造の光ディスクを示す断面図である。
【００５８】
記録膜として、例えばシニアン系、フタロシアニン系、又はアゾ系色素等の有機色素を使用すれば、記録可能なＤＶＤとしてのＤＶＤ＋Ｒ、ＤＶＤ−Ｒ等を構成することができる。図６（ａ）に示すように、記録層を２層有する光ディスクにおいては、レーザが入射する記録面側に配置される第１の記録層Ｌ０として、表面にレーザ案内溝を有する透明樹脂基板１、例えばシニアン色素を主とした色素膜からなる第１の記録膜２、例えば金又はシリコン系の材料等からなる半透明の反射膜３を順次重ねたものとし、第２の記録層Ｌ１として、例えばシニアン色素を主とした色素膜からなる記録膜１１、アルミニウム等からなる反射膜１２、基板１３を順次重ねたものとし、この第１の記録層Ｌ０と第２の記録層Ｌ１とを透明な中間層２０を挟んで貼り合せたものとすることができる。
【００５９】
また、各記録層Ｌ０、Ｌ１における記録膜２、１２として、相変化材料を使用すれば、結晶状態とアモルファス状態の可逆変化を利用して例えば１０００回以上の書き換えが可能なＤＶＤ＋ＲＷ、ＤＶＤ−ＲＷ等を構成することができる。この場合、各記録層は、レーザ入射側から例えばポリオレフィン等の樹脂基板、ＺｎＳ−ＳｉＯ２等の保護膜、ＧｅＩｎＳｂＴｅ、ＡｇＩｎＳｂＴｅ、又はＧｅＳｂＴｅ等の記録膜、ＺｎＳ−ＳｉＯ２等の保護膜、バリア膜、Ａｇ等の反射膜を順次貼り合せたもの等とすることができ、これらを透明な接着剤で張り合わせて多層構造とすることができる。
【００６０】
一方、従来の記録層が１層の光ディスクにおいては、表面にレーザ案内溝を有する透明樹脂基板３１、色素膜からなる第１の記録膜３２、金、銀等の貴金属からなる反射膜３３を順次重ねたものとし、これに、レーザ入射側とは反対側に接着層３４を介してダミー基板３５を貼り合せたものとなっている。
【００６１】
記録装置又は記録再生装置において、図６（ａ）に示すような記録層を２層有する光ディスクの各記録層のデータ領域にデータを記録する場合、大きく分けて以下の４つの場合が考えられる。
【００６２】
（２−１−１）第１の記録層Ｌ０にデータを記録する場合、その半径位置に対応する第２の記録層Ｌ１にデータが記録されていない（未記録状態である）場合
（２−１−２）第１の記録層Ｌ０にデータ記録する場合、その半径位置に対応する第２の記録層Ｌ１にデータが記録されている（記録済み状態である）場合
（２−１−３）第２の記録層Ｌ１にデータを記録する場合、その半径位置に対応する第１の記録層Ｌ０にデータが記録されていない（未記録状態である）場合
（２−１−４）第２の記録層Ｌ１にデータを記録する場合、その半径位置に対応する第１の記録層Ｌ０にデータが記録されている（記録済み状態である）場合
【００６３】
ここで、図６（ａ）に示す２層構造の光ディスクのレーザ入射側の第１の記録層Ｌ０にレーザ光４１を照射してデータを記録する場合は、図６（ｂ）に示す１層構造の光ディスクにレーザ光５１を照射してデータを記録する場合と同様であるが、図６（ａ）に示すように、レーザ入射光側の第１の記録層Ｌ０ではない第２の記録層Ｌ１にレーザ光４２を照射してデータを記録する場合、第１の記録層Ｌ０を透過したレーザ光４２により、第２の記録層Ｌ１にデータが記録される。従って、第１の記録層Ｌ０にデータが記録済みの状態が否かによって透過率が異なる等して、第２の記録層Ｌ１へ入射するレーザ光のパワーが異なってしまう。
【００６４】
また、再生時においては、レーザ光４１を照射して第１の記録層Ｌ０のデータを再生する際、その第１の記録層Ｌ０に対応する第２の記録層Ｌ１へもレーザ光４１が照射され、第２の記録層Ｌ１にデータが記録されている場合は、その戻り光も再生信号として検出されてしまうことによりクロストークが生じる。同様に、第２の記録層Ｌ１にレーザ光４２を照射してデータを再生する際、対応する位置の第１の記録層Ｌ０にデータが記録されている場合、その戻り光も再生信号として検出されてしまうことによりクロストークが生じる。
【００６５】
即ち、このような複数の記録層を有する光ディスクに記録を行う際は、記録を行う対象の記録層とは異なる記録層の状態によって、及び／又は再生時においてクロストークが最少となるような最適な記録パワーを求める必要がある。
【００６６】
そこで、本発明においては、上述したように、試し書き領域を各記録層において、少なくとも一部はオーバラップしない領域を有するよう、記録トラックの半径方向にずらして配置することにより、記録を開始しようとする記録層のデータ領域に対応する他の記録層の状態を考慮し、試し書き領域も同様の条件として最適な記録パワーを求めるものである。例えば、例えば第２の記録層に記録を行う際に、第２の記録層に設けられた試し書き領域で試し書きを行って最適記録パワーを設定する場合、記録を行う第２の記録層の半径位置に対応する第１の記録層が記録済みの状態か又は未記録の状態かを検出し、例えば第１の記録層が記録済みであれば、第２の記録層の試し書き領域と同一半径位置の第１の記録層も記録済みの状態とした後、上記第２の記録層の試し書き領域にて試し書きを行って最適記録パワーを求める。これにより、例えば試し書き領域に対応する他の記録層の状態を考慮せずに記録パワーを求めるのに比して、正確な記録パワーを設定することができる。
【００６７】
以下、本実施の形態における光ディスクの具体的な構成について説明する。ここでは、各記録層間において少なくとも一部はオーバラップしない領域を有するように配された試し書き領域を有する光ディスクにおける４種類のディスクレイアウト例について説明する。
【００６８】
（２−２）第１のディスクレイアウト
図２（ａ）は、第１のディスクレイアウトを示す模式図であって、図２（ｂ）は、図２（ａ）に示す第１のディスクレイアウトの一部を拡大して示す図である。この第１のディスクレイアウトにおいては、図２に示すように、レーザ入射光側に配置される第１の記録層（Ｌａｙｅｒ０）Ｌ０と、この第１の記録層よりレーザ入射光から見て離隔する方向に配置される第２の記録層（Ｌａｙｅｒ１）Ｌ１とを有しており、記録パワーのキャリブレーションを行うため、データの試し書きを行う試し書き領域（Ｔｅｓｔ  Ｚｏｎｅ）ＴＺ０１、ＴＺ０２、ＴＺ１１、ＴＺ１２、及び試し書き領域の使用状況を示すカウント領域（Ｃｏｕｎｔ  Ｚｏｎｅ）Ａ０２、Ａ０６、Ａ１２、Ａ１６が、各記録層（第１の記録層Ｌ０及び第２の記録層Ｌ１）に対して、内周側及び外周側の２箇所に設けられている。
【００６９】
また、光記録媒体の各記録層Ｌ０、Ｌ１には、実データ（ユーザデータ）がどこからどこの範囲まで記録されているかの情報、及びユーザデータが例えばビデオデータであるか又はそれ以外のデータであるか等、ユーザデータの種類を示す情報等が記録された管理領域Ａ０３、Ａ１３を有しており、これら試し書き領域、カウント領域及び管理領域が、各記録層Ｌ０、Ｌ１において、ユーザデータが記録されるデータ領域Ａ０４、Ａ１４を挟んで配置されたものとなっている。
【００７０】
そして、第１のディスクレイアウトにおいては、２層の各記録層Ｌ０、Ｌ１には、内周側及び外周側に夫々内周側試し書き領域ＴＺ０１、ＴＺ１１及び外周側試し書き領域ＴＺ０２、ＴＺ１２が設けられている。ここで、第１のレイアウトにおいては、図２（ｂ）に示すように、記録層Ｌ０、Ｌ１間において、例えば内周側試し書き領域ＴＺ０１と、ＴＺ１１とは、記録トラックの半径方向に少なくとも一部はオーバラップ（重複）しない領域Ａ００、Ａ１０を有している。同様に、各記録層Ｌ０、Ｌ１に夫々設けられた外周側試し書き領域ＴＺ０２及びＴＺ１２も、半径方向に一部はオーバラップしない領域を有している。
【００７１】
なお、本明細書においては、試し書き領域とは、記録パワーを設定するための試し書きデータが実際に書き込まれる領域（Ｔｅｓｔ  Ｚｏｎｅ）のみを示すこととする。即ち、試し書き領域ＴＺ０１とＴＺ１１、及び試し書き領域ＴＺ０２とＴＺ１２とが、記録トラックの半径方向に少なくとも一部はオーバラップしないように配置されればよく、従って、試し書き領域における試し書き済みのパーティションを識別するためのカウント領域Ａ０２、Ａ０６Ｃ、Ａ１２、Ａ１６においては、ここでは既存のＤＶＤ＋Ｒのフォーマットと同一になるように配置するものとするが、カウント領域の配置方法はこれに限るものではない。
【００７２】
図２（ｂ）に示すように、ここでは、レーザ入射光側の第１の記録層Ｌ０の試し書き領域ＴＺ０１より、第２の記録層Ｌ１の試し書き領域ＴＺ１１の開始半径位置が外周側にずれて形成されている場合を示す。このように、試し書き領域の一部がオーバラップしないよう配置されているため、一方の記録層の試し書き領域で試し書きをする際、対応する半径位置の他方の記録層を記録済み又は未記録済みの状態とすることができ、最適な記録パワーを求めることができる。例えば、記録を開始しようとする第２の記録層Ｌ１よりレーザ入射側に配される第１の記録層Ｌ０が未記録状態のとき、第２の記録層Ｌ１の例えば試し書き領域ＴＺ１１に試し書きをして記録パワーを求める場合、試し書き領域ＴＺ１１の手前に配される第１の記録層Ｌ０も未記録状態とし、試し書きをして記録パワーを求める。
【００７３】
また、レーザ入射側の第１の記録層Ｌ０に記録されているデータを読み取る際、一部のレーザ光は、第１の記録層Ｌ０を透過して第２の記録層Ｌ１に到達し、反射されることにより、第１の記録層Ｌ０から反射された光と共に再生信号として検出されてしまい、第１の記録層Ｌ０と第２の記録層Ｌ１との間でクロストークが生じる。従って、できるだけクロストークを小さくするよう、各記録層に最適な記録パワーを求めることが必要となる。
【００７４】
具体的には、上記（２−１−１）の場合、例えば第１の記録層Ｌ０の試し書き領域ＴＺ０１で試し書きを行うことができるが、その際、対応する位置の第２の記録層Ｌ１の領域は、未記録状態とする。対応する半径位置の第２の記録層Ｌ１の領域が未記録状態となる場合としては、例えば、光ディスクが未使用（新品）である場合の他、又は第１の記録層Ｌ０の試し書き領域ＴＺ０１、ＴＺ０２が第２の記録層Ｌ１の試し書き領域ＴＺ１１、ＴＺ１２の使用量より多い場合等が挙げられ、対応する半径位置の第２の記録層を未記録の状態として第１の記録層の試し書き領域で試し書きを行うことができる。また、例えば試し書き領域ＴＺ０１の最内周側の部分領域Ａ００に対応する第２の記録層Ｌ１は、未記録のまま記録を禁止した領域としたり、試し書き領域ＴＺ０１と試し書き領域ＴＺ１１とがオーバラップする領域Ａ＿ｏｖｅｒｒａｐにおいて、部分的に試し書き領域ＴＺ１１に未記録のまま試し書きをしない領域を設けておく等することで、意図的にそのような状態とすることもできる。
【００７５】
また、上記（２−１−２）の場合、例えば第１の記録層Ｌ０の試し書き領域ＴＺ０１で試し書きを行うことができるが、その際、対応する位置の第２の記録層Ｌ１の領域は、記録済み状態とする。対応する半径位置の第２の記録層Ｌ１の領域が記録済み状態となる場合としては、例えば、第１の記録層Ｌ０の試し書き領域ＴＺ０１、ＴＺ０２が第２の記録層Ｌ１の試し書き領域ＴＺ１１、ＴＺ１２の使用量より多い場合等が挙げられ、対応する位置の第２の記録層Ｌ１を記録済みの状態として第１の記録層Ｌ０の試し書き領域ＴＺ０１で試し書きを行うことができる。また、上記（２−１−１）の場合と同様に、試し書き領域ＴＺ０１の最内周側の部分領域Ａ００に対応する第２の記録層を予め記録済みの状態としておいたり、試し書き領域ＴＺ０１と試し書き領域ＴＺ１１とがオーバラップする領域Ａ＿ｏｖｅｒｒａｐにおいて、試し書き領域ＴＺ１１に予めデータを記録した記録済みの領域を設けておく等することで、意図的にそのような状態とすることもできる。
【００７６】
更に、上記（２−１−３）の場合、例えば、第２の記録層Ｌ１の試し書き領域ＴＺ１１で試し書きを行うことができるが、例えば、第１の記録層Ｌ０の試し書き領域ＴＺ０１、ＴＺ０２が第２の記録層Ｌ１の試し書き領域ＴＺ１１、ＴＺ１２の使用量より少ないとき等は対応する位置の第１の記録層Ｌ０を未記録状態として第２の記録層Ｌ１の試し書き領域で試し書きを行うことができる。また、試し書き領域ＴＺ１１の最外周側の部分領域Ａ１０に対応する第１の記録層Ｌ０を未記録のまま記録を禁止した領域としておいたり、試し書き領域ＴＺ０１と試し書き領域ＴＺ１１とがオーバラップする領域Ａ＿ｏｖｅｒｒａｐにおいて、試し書き領域ＴＺ０１に未記録のまま試し書きをしない領域を設けておく等することで、意図的にそのような状態とすることもできる。
【００７７】
更にまた、上記（２−１−４）の場合、例えば、第２の記録層Ｌ１の試し書き領域で試しがきを行うことができ、例えば、第１の記録層Ｌ０の試し書き領域ＴＺ０１、ＴＺ０２が第２の記録層Ｌ２の試し書き領域ＴＺ１１、ＴＺ１２の使用量より多いとき等は、対応する位置の第１の記録層Ｌ０を記録済みの状態として第２の記録層Ｌ１の試し書き領域で試し書きを行うことができる。また、上記（２−１−３）の場合と同様に、試し書き領域ＴＺ１１の最外周側の部分領域Ａ１０に対応する第１の記録層Ｌ０を予め記録済みの状態としておいたり、試し書き領域ＴＺ０１と試し書き領域ＴＺ１１とがオーバラップする領域Ａ＿ｏｖｅｒｒａｐにおいて、試し書き領域ＴＺ０１に予めデータを記録した記録済みの領域を設けておく等することで、意図的にそのような状態とすることもできる。
【００７８】
このように、試し書き領域を半径方向にずらして形成することで、各記録層の試し書き領域を、各記録層の記録を開始する予定の実際のデータ領域の状態と同一の状態とすることができ、データ領域の状態を考慮せずに記録パワーを求めたり、試し書き領域で求めた記録パワーを補正した求めた記録パワーに比して、極めて正確に記録パワーの調整を行うことができる。
【００７９】
データの記録を開始しようとしているデータ領域に対応する他の記録層における領域に、データが記録されているか否かは、同一層の管理領域等に記録された情報を基に判断することができる。上述したシステム制御部１０４は、各記録層の管理領域の情報を読み出し、記録を開始しようとしているデータ領域の状態を検出し、この検出した状態と試し書き領域の状態を同様の状態にしておいてから試し書きを行えばよい。
【００８０】
更に、ＤＶＤのような高密度で大容量の記録が可能な光ディスクの場合、追記する回数が多くなる場合がある。試し書きは、例えば記録装置にＤＶＤが装填される毎、又はディスクが記録装置に装填され所定時間経過後等のタイミングで行われるが、このようにオーバラップしない領域を一部は設けておくことで、上述したように、試し書き領域に対応する他の記録層を記録済み又は未記録状態、即ち、試し書き領域をデータ領域と同一の状態とするこができると共に、試し書き領域の空領域が少なくなった場合には、データ領域の状態に拘わらず、試し書き領域を使用することもできる。その場合は、後述するように、得られた記録パワーに所定の係数を乗算する等すればよい。
【００８１】
（２−３）第２のディスクレイアウト
図３は、第２のディスクレイアウトを示す模式図である。この第２のディスクレイアウトにおいては、記録層を２層有している点は図２に示す第１のディスクレイアウトと同様であるが、更に、各層の内周側試し書き領域ＴＺ０１、ＴＺ１１及び各層の外周側試し書き領域ＴＺ０２、ＴＺ１２が、各記録層間において完全にオーバラップしないよう配置されている。そして、一方の試し書き領域、例えば第１の記録層Ｌ０の内周側試し書き領域ＴＺ０１が配置される半径位置と同一半径位置の他方の記録層である第２の記録層Ｌ１には、記録層間でクロストークの影響を調整することが可能なように、記録済み状態又は未記録状態を選択可能な調整領域（Ａｄｊｕｓｔ  Ａｒｅａ）ＡＡ１１が設けられている。同じく、第２の記録層Ｌ１の内周側試し書き領域ＴＺ１１が配置される半径位置と同一半径位置の第１の記録層Ｌ０には、記録済み状態又は未記録状態を選択可能な調整領域ＡＡ０１が設けられている。
【００８２】
これら調整領域ＡＡ０１、ＡＡ１１は、記録を開始しようとする記録層のデータ領域に対応する他の記録層の領域の状態と同様の状態の試し書き領域とするために使用することができる。すなわち、記録を開始しようとしているデータ領域（記録予定データ領域）に対応する位置の他の記録層が記録済みであれば、例えば記録予定データ領域の記録層と同一の記録層の試し書き領域にて試し書きを行う際、試し書きを行う位置に対応する他の記録層の調整領域にデータを記録してから試し書きを行えばよい。一方、記録予定データ領域に対応する位置の他の記録層が未記録状態であれば、対応する調整領域を未記録状態としたまた試し書きを行えばよい。
【００８３】
また、調整領域は、予め未記録としておき、データ領域の状態に応じて調整領域にデータを記録するものとしてもよいが、１回のみ消去が可能なディスク又は複数回の記録消去（書き換え）が可能なディスクの場合は、予め調整領域にデータを記録した状態としておき、データ領域の状態に応じて、調整領域のデータを消去するものとしてもよい。
【００８４】
（２−４）第３のディスクレイアウト
図４は、第３のディスクレイアウトを示す模式図である。この第３のディスクレイアウトにおいては、記録層を２層有し、且つ試し書き領域が各記録層間において完全にオーバラップせず配置されている点は、図３に示す第２のディスクレイアウトと同様であるが、第２のディスクレイアウトにおいて設けられていた調整領域が、データが記録されていない未記録領域（Ｂｌａｎｋ  Ａｒｅａ）となっており、第１の記録層Ｌ０の内周側試し書き領域ＴＺ０１、及び外周側試し書き領域ＴＺ０２が配置される半径位置と同一半径位置に存在する第２の記録層Ｌ１には、記録がされていない夫々未記録領域ＢＡ１１及びＢＡ１２が設けられ、同じく、第２の記録層Ｌ１の内周側試し書き領域ＴＺ１１、及び外周側試し書き領域ＴＺ１２が配置される半径位置と同一半径位置に存在する第１の記録層Ｌ０には、記録がされていない夫々未記録領域ＢＡ０１及びＢＡ０２が設けられている。
【００８５】
ここで、調整領域である未記録領域Ｂ０１、は、記録が禁止された領域となっている。従って、試し書き領域に対応する位置の他の記録層は、常に未記録状態となっている。このような試し書き領域で記録パワーを求めた場合は、データ領域の状態に応じて、後述するように、得られた記録パワーに所定の係数を乗算することで所望の記録パワーを得ることができる。
【００８６】
なお、係数は光ディスクの材質によって異なり、例えば実験等によって光ディスクに上記係数データを記録しておいてもよく、又は記録装置にてそのような係数データを管理するようにしてもよい。また、上述した如く、試し書き領域の使用状況に応じて、記録が禁止された調整領域を試し書き領域として使用してしてもよい。
【００８７】
また、ここでは、第１の記録層Ｌ０の試し書き領域と第２の記録層Ｌ１の試し書き領域が完全にオーバラップしないように配置されたものとして説明したが、上述の第１のディスクレイアウトに示したように、試し書き領域の一部がオーバラップするよう配置し、オーバラップ部分において、例えば第１の記録層Ｌ０の試し書き領域に対応する第２の試し書き領域Ｌ１の試し書き領域を記録済みか又は未記録かを選択可能としてもよい。
【００８８】
（２−５）第４のディスクレイアウト
図５は、第４のディスクレイアウトを示す模式図である。この第４のディスクレイアウトにおいては、記録層を２層有し、且つ試し書き領域が各記録層間において完全にオーバラップせず配置されている点は、図４に示す第３のディスクレイアウトと同様であるが、第３のディスクレイアウトにおいて設けられていた未記録領域の変わりに、記録済み領域（Ｒｅｃｏｄｅｄ  Ａｒｅａ）が形成されている。
【００８９】
即ち、一方の試し書き領域、例えば第１の記録層Ｌ０の内周側試し書き領域ＴＺ０１及び外周側試し書き領域ＴＺ０２が配置される半径位置と同一半径位置に存在する他方の記録層である第２の記録層Ｌ１には、夫々記録済み領域ＲＡ１１及びＲＡ１２が形成され、第２の記録層Ｌ１の内周側試し書き領域ＴＺ１１及び外周側試し書き領域ＴＺ１２が配置される半径位置と同一半径位置に存在する第１の記録層Ｌ０には、夫々記録済み録領域ＲＡ０１及びＲＡ０２が形成されている。
【００９０】
この場合、試し書き領域に対応する位置の他の記録層は、いずれも記録済み状態となっている。このような試し書き領域で記録パワーを求めた場合においても、データ領域の状態に応じて、得られた記録パワーに所定の係数を乗算することで所望の記録パワーを得ることができる。この場合、記録パワーを所定の値としたレーザ光により、調整領域を記録済み状態としておく。なお、この場合においても、例えば相変化型の光ディスク又は１回のみ消去可能な光ディスクであれば、試し書き領域の使用状況に応じて、記録済みの調整領域のデータを消去し、試し書き領域と供に使用してもよい。
【００９１】
なお、以上の構成において、図２乃至図５に示すディスクレイアウトの他に、内周側からカウント領域、試し書き領域の順に配置したり、同一半径位置において第１の記録層Ｌ０は、試し書き領域、第２の記録層Ｌ１は、カウント領域としたり、又はその逆としたりする等してもよい。
【００９２】
また、図２乃至図５に示す構成においては、いずれの記録層においても、試し書き領域及びカウント領域が外周側から内周側に記録するものとしているが、各領域における記録順序、記録位置はこれに限るものではなく、内周側から外周側に記録してもよく、又は領域の途中から記録してもよい。
【００９３】
更に、試し書き領域は、記録を開始しようとするデータ領域と同一記録層であって近い方の試し書き領域を使用することもできるが、例えば、同一記録層の２つの試し書き領域にて試し書きを行った結果に基づき記録パワーを求めてもよく、又は異なる記録層における試し書き領域にて試し書きを行った結果に基づき記録パワーを求めるようにしてもよい。
【００９４】
更にまた、本実施の形態においては、記録層を２層有する光ディスクとして説明したが、記録層のうち、少なくとも一方の記録層の少なくとも一部の領域が再生専用の再生層であったり、記録層のうち一部が追記型であって一部が書き換え型であるようないわゆるハイブリットディスクであってもよい。
【００９５】
（２−６）記録パワーの設定方法
次に、記録層を２層持つ光記録媒体を用いた試し書き方法について図７乃至図１３を参照して説明する。先ず、多層の記録層を有する多層光ディスクの基本的な試し書き領域の使用方法について説明する。図７は、記録再生装置において、多層光ディスクの試し書き方法を示すフローチャートである。
【００９６】
光ディスクが装填されると、システム制御部１０４は光ディスクをロードし（ステップＳ１）、多層ディスクか否かの判別を行う（ステップＳ２）。次に、多層ディスクであると判断された場合、記録可能か、又は再生専用ディスクであるかの判別を行う（ステップＳ３）。記録可能であるディスクとは、例えばＤＶＤ＋Ｒ、ＤＶＤ−Ｒ、ＤＶＤ＋ＲＷ、ＤＶＤ−ＲＷ等の追記が可能なディスク等である。そして、多層ディスクで且つ記録可能だと判断した後、例えば、第１の記録層Ｌ０の例えは内周側試し書き領域ＴＺ０１にて試し書きを実行し（ステップＳ４）、続いて第２の記録層Ｌ１の内周側試し書き領域ＴＺ１１にて試し書きを実行する（ステップＳ５）。
【００９７】
ここで、本実施の形態においては、各記録層の試し書き領域で試し書きを行う場合について説明するが、このように各記録層の試し書き領域で試し書きを行って記録パワーを求めることで、例えば各記録層における記録パワーを求めることができることは勿論、後述するように各記録層の例えば内周側試し書き領域ＴＺ０１、ＴＺ１１において試し書きを行って各記録層間の感度差を補正したり信号振幅を補正したりすることができる。なお、例えば第１の記録層Ｌ０のみの記録を行う際は、第１の記録層Ｌ０の例えば試し書き領域ＴＺ０１のみで試し書きを実行してもよい。また、例えば、これから記録を開始しようとする記録層が第１の記録層Ｌ０のデータ領域Ａ０４の内周側である場合、例えば試し書き領域としては、最も近くに位置する第１の記録層Ｌ０の内周側試し書き領域ＴＺ０１を使用すれば、試し書きの時間を短縮することができる。また、この場合、第１の記録層の内周側試し書き領域ＴＺ０１に加え、外周側試し書き領域ＴＺ１１にて試し書きを行った結果も合わせて記録パワーを調整してもよく、又は例えば第１の記録層の試し書き領域ＴＺ０１、ＴＺ０２が使用済みであるような場合等においては、第２の記録層Ｌ１の試し書き領域を使用して試し書きを行ってもよい。
【００９８】
また、ステップＳ４及びステップＳ５とは逆に、第２の記録層Ｌ１の試し書き領域ＴＺ１１にて試し書きを実行してから第１の記録層Ｌ０の試し書き領域ＴＺ０１にて試し書きを実行してもよい。なお、ステップＳ２にて単層であると判断された場合は、記録可能か否かの判別を行い（ステップＳ６）、記録可能の場合は、試し書き領域ＴＺにて試し書きを実行する（ステップＳ７）。こうして試し書き領域にて試し書きを行った結果に基づき、最適な記録パワーが設定され、記録が開始される。
【００９９】
次に、上述したように、試し書き領域に対応する他の記録層の領域に調整領域を有する本実施の形態の光ディスクの試し書き方法について説明する。図８は、記録再生装置において、調整領域を有する多層光ディスクの試し書き方法を示すフローチャートである。ここでは、調整領域は、予め記録がされていない未記録状態となっている場合について説明する。
【０１００】
図８に示すように、記録再生装置にディスクが挿入されるとこれをロードし（ステップＳ１１）、多層ディスクか否かの判別を行い（ステップＳ１２）、次に記録可能か否かの判別を行う（ステップＳ１３）。多層ディスクで且つ記録可能だと判断された後、これから使用する予定の例えば第１の記録層Ｌ０の試し書き領域ＴＺ０１の半径位置に対応した第２の記録層Ｌ１の調整領域ＡＡ記録をするか未記録のままとするかを選択する（ステップＳ１４）。
【０１０１】
ここで、第２の記録層Ｌ１の調整領域ＡＡを未記録のまま（ステップＳ１４：Ｎｏ）にするならば、そのまま第１の記録層Ｌ０の試し書き領域ＴＺ０１にて試し書きを実行する（ステップＳ１６）。一方、第２の記録層Ｌ１の調整領域ＡＡを記録する（ステップＳ１４：Ｙｅｓ）ならば第２の記録層Ｌ１の調整領域ＡＡに信号を記録し（ステップＳ１５）、その後、ステップＳ１６に進み、第１の記録層Ｌ０の試し書き領域ＴＺ０１にて試し書きを実行する。
【０１０２】
次に、同じくこれから使用しようとする第２の記録層Ｌ１の試し書き領域ＴＺ１１の半径位置に対応した第１の記録層Ｌ０の調整領域ＡＡを記録済み状態にするか未記録の状態のままとするかを選択する（ステップＳ１７）。ここで、第１の記録層Ｌ０の調整領域ＡＡを未記録のままとする場合（ステップＳ１７：Ｎｏ）、そのまま第２の記録層Ｌ１の試し書き領域ＴＺ０１にて試し書きを実行し、第１の記録層Ｌ０の調整領域ＡＡを記録する場合（ステップＳ１７：Ｙｅｓ）、当該調整領域ＡＡに信号を記録し（ステップＳ１８）、その後、ステップＳ１９に進み、第２の記録層Ｌ１の試し書き領域ＴＺ１１にて試し書きを実行する（ステップＳ１９）。そして、得られた試し書き結果に基づき記録パワーを調整して記録を開始する（ステップＳ２０）。
【０１０３】
なお、ここで、図８に示した手順とは逆に、第１の記録層Ｌ０の調整領域ＡＡへの記録の有無を判定してから第２の記録層Ｌ１の試し書きを実行し、次に第２の記録層Ｌ１の調整領域ＡＡへの記録の有無を判定してから第１の記録層Ｌ０の試し書きを実行してもよいものとする。また、上述した如く、多層ディスクでない場合は、記録可能か否かを判定した後、試し書きを行う（ステップＳ６、Ｓ７）。
【０１０４】
図９は、記録再生装置において、調整領域を有する多層光ディスクの試し書き方法の他の例を示すフローチャートである。図８に示す調整領域は、予め何も信号が記録されていない領域であったが、ここでの調整領域は、予め信号が記録された記録済み領域として設けられているものとする。なお、この場合、光ディスクがＤＶＤ＋ＲＷ、ＤＶＤ−ＲＷ等の書き換え可能な光ディスクか、又は１回のみ消去が可能な光ディスクを使用するものとする。
【０１０５】
先ず、光記録再生装置に光ディスクがロードされる（ステップＳ２１）と、多層ディスクか否かの判別を行い（ステップＳ２２）、次に記録可能か否かの判別を行う（ステップＳ２３）。多層ディスクで且つ記録可能だと判断したのち、これから使用しようとする第１の記録層Ｌ０の例えば試し書き領域ＴＺ０１の半径位置に対応した第２の記録層Ｌ１の調整領域ＡＡ１１を消去するか否かを選択する（ステップＳ２４）。
【０１０６】
ここで、第２の記録層Ｌ１の調整領域ＡＡ１１をそのまま（ステップＳ２４：Ｎｏ）で使用するならばそのまま第１の記録層Ｌ０の試し書き領域ＴＺ０１にて試し書きを実行し、第２の記録層Ｌ１の調整領域ＡＡ１１を消去する（ステップＳ２４：Ｙｅｓ）ならば当該調整領域ＡＡ１１を消去した後、第１の記録層Ｌ０の試し書き領域ＴＺ０１にて試し書きを実行する。
【０１０７】
次いで、同じくこれから使用しようとする第１の記録層Ｌ０の試し書き領域ＴＺ０１の半径位置に対応した第２の記録層Ｌ１の調整領域ＡＡ１１を消去するか否かを選択する（ステップＳ２７）。ここで、第１の記録層Ｌ０の調整領域ＡＡ０１をそのまま使用する（ステップＳ２７：Ｎｏ）ならば、そのまま第２の記録層Ｌ１の試し書き領域ＴＺ１１にて試し書きを実行し、第１の記録層Ｌ０の調整領域ＡＡ０１を消去する（ステップＳ２７：Ｙｅｓ）ならば第１の記録層Ｌ０の調整領域ＡＡ０１を消去した後、第２の記録層Ｌ１の試し書き領域ＴＺ１１にて試し書きを実行する。
【０１０８】
なお、ここで、図９に示した手順とは逆に、第１の記録層Ｌ０の調整領域ＡＡ０１への記録の有無を判定してから第２の記録層Ｌ１の試し書きを実行し、次に第２の記録層Ｌ１の調整領域ＡＡ１１への記録の有無を判定してから、第１の記録層Ｌ０の試し書きを実行してもよいものとする。
【０１０９】
図１０は、記録再生装置において、調整領域を有する多層光ディスクの試し書き方法を示すフローチャートであって、図８におけるステップＳ１４の調整領域を記録するか否かを選択する方法の一例を示すフローチャートである。即ち、図８と同様、ステップＳ１１〜ステップＳ１３により、多層ディスクであって記録可能であることを確認した後、これから記録を開始しようとするデータ領域に対応する他の記録層の領域（記録を開始する記録層とは異なる他の記録層）が記録済みであるか、又は未記録の状態であるかをチェックする（ステップＳ１４ａ）。
【０１１０】
ここで例えば、これから記録を開始しようとしている記録予定データ領域である第１の記録層Ｌ０のデータ領域Ａ０４対応する第２の記録層Ｌ１のデータ領域Ａ１４等の領域が未記録ならば、第１の記録層Ｌ０の試し書き領域ＴＺ０１，ＴＺ０２の半径位置に対応した第２の記録層Ｌ１の調整領域ＡＡ１，ＡＡ１２の記録を未記録のままとし、そのまま第１の記録層Ｌ０の試し書き領域ＴＺ０１，ＴＺ０１にて試し書きを実行する。逆に、記録予定データ領域の半径位置に対応した第２の記録層Ｌ１のデータ領域Ａ１４等の領域が記録済ならば、第２の記録層Ｌ１の調整領域ＡＡ１１，ＡＡ１２を記録した後、第１の記録層Ｌ０の試し書き領域ＴＺ０１，ＴＺ０２にて試し書きを実行する。その後のステップＳ１７ａ〜ステップＳ２０に示す工程も同様である。即ち、これから記録を開始しようとするデータ領域に対応する他の記録層の領域が記録済みであるか、又は未記録の状態であるかをチェックし（ステップＳ１７ａ）、それに応じて試し書き領域に対応する半径位置の調整領域を記録又は未記録として、試し書きを実行する。また、第１の記録層Ｌ０のデータ領域が記録済か否かを判定した後に、第２の記録層Ｌ１のデータ領域が記録済みか否かを判定するようにしてもよい。
【０１１１】
次に、これから記録するデータ領域と同半径位置に対応する領域が記録済みか否かに応じて、記録パワーを求める方法について説明する。図１１は、データ領域の状態に応じて、記録パワーを変更する方法を示すフローチャートできある。なお、ここでは、試し書き領域と同一半径位置にある他の記録層の調整領域は、未記録領域であるものとする。
【０１１２】
図１１に示すように、先ず、ステップＳ３１〜ステップＳ３３により、上述と同様、多層ディスクであって記録可能であることを確認した後、第２の記録層Ｌ１の例えば試し書き領域ＴＺ０１にて試し書きを実行する（ステップＳ３４）。次に、これから記録を開始しようとする記録予定データ領域であるデータ領域（記録層）が記録済か否かをチェックする（ステップＳ３５）。
【０１１３】
そして、ステップＳ３４にて、これから記録しようとする記録予定データ領域に対応する他の記録層の領域が記録済みでない（未記録）であるならば、第１の記録層Ｌ０の試し書き領域ＴＺ０１にて試し書きを実行し、得られた記録パワーに対して、第１の記録層Ｌ０の試し書き領域ＴＺ０１で得られた記録パワーをそのまま使用する。
【０１１４】
一方、記録予定データ領域に対応する他の記録層の領域が記録済であるならば、第１の記録層Ｌ０のＴＺ０１で得られた記録パワーに対して係数１を掛けたものを記録パワーとする（ステップＳ３６）。
【０１１５】
続けて、第２の記録層Ｌ１の試し書き領域ＴＺ１１にて試し書きを実行し（ステップＳ３７）、得られた記録パワーに対して、これから記録しようとする記録予定データ領域に対応する他の記録層の領域が記録済か否かを判定し（ステップＳ３８）、記録済みではない（未記録）ならば、第２の記録層Ｌ１の試し書き領域ＴＺ１１で得られた記録パワーをそのまま使用する。一方、記録予定データ領域に対応する他の記録層の領域が記録済であるならば、第２の記録層Ｌ１の試し書き領域ＴＺ１１で得られた記録パワーに対して係数２を掛けたものを記録パワーとして使用する（ステップＳ３９）。こうして、得られた記録パワーに設定して記録を開始する（ステップＳ４０）。
【０１１６】
なお、ここで、図１１に示した手順とは逆に第２の記録層Ｌ１の試し書き領域ＴＺにて試し書きを実行し、第１の記録層Ｌ０のＴＺにて試し書きを実行するようにしてもよいし、これから記録する記録予定データ領域に対応する他の記録層の領域が記録済の場合に係数を掛けるものとしたが、記録予定データ領域に対応する他の記録層の領域が未記録である場合に係数を掛けるようにしてもよい。
【０１１７】
これらの係数は、予め実験又は計算により求められたものであって、光ディスクの例えば各記録層の管理領域等に記録しておくか、又は記録再生装置が記憶しておくようにしてもよい。
【０１１８】
また、ここでは、調整領域を未記録状態として説明したが、記録済みの状態の調整領域とし、試し書きを行う際に調整領域に記録されたデータを削除してもよい。また、記録予定データ領域に対応する他の記録層の領域が記録済であるならば、第１の記録層Ｌ０のＴＺ０１で得られた記録パワーに対して係数１を掛けたものとしたが、調整領域が記録済みの場合は、試し書きの結果、得られた記録パワーをそのまま使用し、記録予定データ領域に対応する他の記録層の領域が未記録である場合に、係数１’、係数２’を掛けるようにしてもよい。
【０１１９】
次に、上述の方法においては、各記録層の試し書き領域にて試し書きを行うものとして説明したが、一方の記録層の試し書き領域のみを使用し、２つの記録層の記録パワーを求める方法について説明する。図１２は、１つの試し書き領域から複数の記録パワーを求める方法を示すフローチャートである。
【０１２０】
ステップＳ４１乃至４３に示すように、光記録再生装置にディスクがロードされると多層ディスクか否かの判別を行い、次に記録可能か否かの判別を行う。そして、多層ディスクでかつ記録可能だと判断した後、１つの記録層にある試し書き領域で試し書きを行ってその結果に基づき記録パワーを求める。例えば第１の記録層Ｌ０における例えば試し書き領域ＴＺ０１にて試し書きを行う（ステップＳＳ４４）。次に、ステップＳ４４にて得られた記録パワーに係数３を掛けることにより他の記録層の最適記録パワーを予め求め（ステップＳ４５）、これらの記録パワーを使用して記録を開始する（ステップＳ４６）。係数を複数用意しておけば、１つの試し書き領域から複数の記録層の最適パワーを予め求めることができる。この係数も、予め実験又は計算により予め求められたものであって、例えば光ディスクに記録されるか記録再生装置に記憶するか等とすることができる。
【０１２１】
また、このように得られた記録パワーや、内周側と外周側の２つの試し書き領域に対して試し書きを行い、内周側と外周側の両者の試し書き領域から求められた記録パワー等から、ディスクの半径位置（アドレス）毎の記録パワーを、所定の関数で補間して求めることができる。次に、内周側試し書き領域で求められた記録パワーと、外周側試し書き領域で求められた記録パワーとに基づき、ディスク半径位置（アドレス）に対する記録パワーを示す記録パワー補正関数を算出する方法について説明する。
【０１２２】
内周側と外周側とで記録速度が同一であるＣＬＶ制御方式の場合における記録パワー補正関数ｆ（ｘ）は、以下のように算出することができる。内周側試し書き領域に記録速度ｖで試し書きデータを書き込んで求められた記録パワーをＰｏｗｅｒ［ｉｎｎｅｒ＿ｐｃａ，ｖ］とし、外周側試し書き領域に記録速度ｖで試し書きデータを書き込んで求められた記録パワーをＰｏｗｅｒ［ｏｕｔｅｒ＿ｐｃａ，ｖ］とする。
【０１２３】
先ず、Ｐｏｗｅｒ［ｉｎｎｅｒ＿ｐｃａ，ｖ］とＰｏｗｅｒ［ｏｕｔｅｒ＿ｐｃａ，ｖ］とを比較する。比較した結果、Ｐｏｗｅｒ［ｉｎｎｅｒ＿ｐｃａ，ｖ］≒Ｐｏｗｅｒ［ｏｕｔｅｒ＿ｐｃａ，ｖ］の場合には、ディスク半径位置（ｘ）に対して記録パワーが（Ｐｏｗｅｒ［ｉｎｎｅｒ＿ｐｃａ，ｖ］＋Ｐｏｗｅｒ［ｏｕｔｅｒ＿ｐｃａ，ｖ］）／２で一定となる記録パワー補正関数ｆ（ｘ）を生成する。即ち、Ｐｏｗｅｒ［ｉｎｎｅｒ＿ｐｃａ，ｖ］≒Ｐｏｗｅｒ［ｏｕｔｅｒ＿ｐｃａ，ｖ］の場合には、内外周に記録感度差がないと判断し、内周側試し書き領域で求められた記録パワーと外周側試し書き領域で求められた記録パワーの平均値で、ディスク全面にデータ記録する。
【０１２４】
また、比較した結果、｜Ｐｏｗｅｒ［ｉｎｎｅｒ＿ｐｃａ，ｖ］｜≪Ｐｏｗｅｒ［ｏｕｔｅｒ＿ｐｃａ，ｖ］｜又は｜Ｐｏｗｅｒ［ｉｎｎｅｒ＿ｐｃａ，ｖ］｜≫Ｐｏｗｅｒ［ｏｕｔｅｒ＿ｐｃａ，ｖ］｜の場合には、内周側試し書き領域及び外周側試し書き領域の半径位置と、Ｐｏｗｅｒ［ｉｎｎｅｒ＿ｐｃａ，ｖ］及びＰｏｗｅｒ［ｏｕｔｅｒ＿ｐｃａ，ｖ］との関係に基づき、ディスクの外周側から内周側までの記録パワーを、例えば直線や２次曲線等の所定の関数で補間し、記録パワー補正関数ｆ（ｘ）を求める。すなわち、Ｐｏｗｅｒ［ｉｎｎｅｒ＿ｐｃａ，ｖ］≒Ｐｏｗｅｒ［ｏｕｔｅｒ＿ｐｃａ，ｖ］ではない場合には、内外周に記録感度差があると判断し、所定の２次関数に基づき生成された記録パワー補正関数ｆ（ｘ）に応じて、記録パワーを変化させながら、データを記録する。
【０１２５】
また、内周側と外周側とで記録速度が異なるゾーンＣＬＶ制御方式の場合における記録パワー補正関数は、以下のように算出される。
【０１２６】
なお、ここではディスク内が３つのゾーン（ＺＯＮＥ１，ＺＯＮＥ２，ＺＯＮＥ３）に分割されており、各ゾーンの記録速度がｖ１、ｖ２、ｖ３となっている場合を例にとって説明をする（ｖ１＜ｖ２＜ｖ３）。また、ディスク半径位置（ｘ）に関わらず記録感度が一定となる理想状態では、記録速度ｖ１の記録パワー（Ｐｏｗｅｒ［ｘ，ｖ１］）に対する、記録速度ｖ２の記録パワー（Ｐｏｗｅｒ［ｘ，ｖ２］）及び記録速度ｖ３の記録パワー（Ｐｏｗｅｒ［ｘ，ｖ３］）の関係は、以下のような関係となるものとする。
Ｐｏｗｅｒ［ｘ，ｖ２］＝ＷＰ＿Ｃｏｅｆ＿１×Ｐｏｗｅｒ［ｘ，ｖ１］
Ｐｏｗｅｒ［ｘ，ｖ３］＝ＷＰ＿Ｃｏｅｆ＿２×Ｐｏｗｅｒ［ｘ，ｖ２］＝ＷＰ＿Ｃｏｅｆ＿２×ＷＰ＿Ｃｏｅｆ＿１×Ｐｏｗｅｒ［ｘ，ｖ１］
【０１２７】
先ず、内周側試し書き領域に記録速度ｖ１で試し書きデータを書き込んで求められた記録パワーＰｏｗｅｒ［ｉｎｎｅｒ＿ｐｃａ，ｖ１］と、外周側試し書き領域に記録速度ｖ３で試し書きデータを書き込んで求められた記録パワーＰｏｗｅｒ［ｏｕｔｅｒ＿ｐｃａ，ｖ３］とを、記録速度ｖ１と記録速度ｖ３との間の補正係数（ＷＰ＿Ｃｏｅｆ＿２×ＷＰ＿Ｃｏｅｆ＿１）を考慮して比較する。
【０１２８】
比較した結果、ＷＰ＿Ｃｏｅｆ＿１×ＷＰ＿Ｃｏｅｆ＿２≒Ｐｏｗｅｒ［ｉｎｎｅｒ＿ｐｃａ，ｖ１］／Ｐｏｗｅｒ［ｏｕｔｅｒ＿ｐｃａ，ｖ３］の場合には、速度ｖ１での最適な記録パワーを、以下のように演算する。Ｐｏｗｅｒ［ｘ，ｖ１］＝｛（Ｐｏｗｅｒ［ｏｕｔｅｒ＿ｐｃａ，ｖ３］／（ＷＰ＿Ｃｏｅｆ＿１×ＷＰ＿Ｃｏｅｆ＿２））＋Ｐｏｗｅｒ［ｉｎｎｅｒ＿ｐｃａ，Ｖ１］｝／２
【０１２９】
続いて、上記Ｐｏｗｅｒ［ｘ，ｖ１］に基づき、各ゾーンに対する記録パワー（Ｐｏｗｅｒ［ｚ１，ｖ１］，Ｐｏｗｅｒ［ｚ２，ｖ２］，Ｐｏｗｅｒ［ｚ３，ｖ３］）を以下のように求める。
Ｐｏｗｅｒ［ｚ１，ｖ１］＝Ｐｏｗｅｒ［ｘ，ｖ１］
Ｐｏｗｅｒ［ｚ２，ｖ２］＝ＷＰ＿Ｃｏｅｆ＿１×Ｐｏｗｅｒ［ｘ，ｖ１］
Ｐｏｗｅｒ［ｚ３，ｖ３］＝ＷＰ＿Ｃｏｅｆ＿２×ＷＰ＿Ｃｏｅｆ＿１×Ｐｏｗｅｒ［ｘ，ｖ１］
【０１３０】
そして、これらを半径方向に合成し、各ゾーンにおける記録パワーが上記のＰｏｗｅｒ［ｚ１，ｖ１］，Ｐｏｗｅｒ［ｚ２，ｖ２］，Ｐｏｗｅｒ［ｚ３，ｖ３］で一定となる記録パワー補正関数ｆ（ｘ）を求める。すなわち、ＷＰ＿Ｃｏｅｆ＿１×ＷＰ＿Ｃｏｅｆ＿２≒Ｐｏｗｅｒ［ｉｎｎｅｒ＿ｐｃａ，ｖ１］／Ｐｏｗｅｒ［ｏｕｔｅｒ＿ｐｃａ，ｖ３］となる場合には、内外周に記録感度差がないものと判断し、各ゾーン毎に一定となる記録パワー補正関数ｆ（ｘ）に応じて、データを記録する。
【０１３１】
また、比較した結果、ＷＰ＿Ｃｏｅｆ＿１×ＷＰ＿Ｃｏｅｆ＿２≒Ｐｏｗｅｒ［ｉｎｎｅｒ＿ｐｃａ，ｖ１］／Ｐｏｗｅｒ［ｏｕｔｅｒ＿ｐｃａ，ｖ３］とならない場合には、内周側試し書き領域及び外周側試し書き領域の半径位置と、Ｐｏｗｅｒ［ｉｎｎｅｒ＿ｐｃａ，ｖ１］及び（Ｐｏｗｅｒ［ｏｕｔｅｒ＿ｐｃａ，ｖ３］／ＷＰ＿Ｃｏｅｆ＿１×ＷＰ＿Ｃｏｅｆ＿２）との関係に基づき、ディスクの外周側から内周側までの記録速度ｖ１で一定に記録する場合の記録パワーを、例えば直線や２次曲線等の所定の関数で補間し、記録速度ｖ１での記録パワー関数ｆ’（ｘ）を求める。
【０１３２】
続いて、各ゾーンに対する記録パワー補正関数ｆ’（ｘ）から、各ゾーンにおける記録補正パワー関数ｆｚ１（ｘ），ｆｚ２（ｘ），ｆｚ３（ｘ）を以下のように求める。
ｆｚ１（ｘ）＝ｆ’（ｘ）
ｆｚ２＝ＷＰ＿Ｃｏｅｆ＿１×ｆ’（ｘ）
ｆｚ３＝ＷＰ＿Ｃｏｅｆ＿２×ＷＰ＿Ｃｏｅｆ＿１×ｆ’（ｘ）
【０１３３】
そして、これらの各関数を合成し、各ゾーンにおける記録パワーが上記のｆｚ１（ｘ），ｆｚ２（ｘ），ｆｚ３（ｘ）となる記録パワー補正関数ｆ（ｘ）を生成する。すなわち、Ｐｏｗｅｒ［ｉｎｎｅｒ＿ｐｃａ，ｖ］≒Ｐｏｗｅｒ［ｏｕｔｅｒ＿ｐｃａ，ｖ］ではない場合には、内外周に記録感度差があると判断し、所定の２次関数に基づき生成された記録パワー補正関数ｆ（ｘ）に応じて、記録パワーを変化させながら、データを記録する。
【０１３４】
以上のような設定方法では、内周側と外周側の２つの試し書き領域に対して試し書きを行い、内周側と外周側の両者の試し書き領域から求められた記録パワーから、ディスクの半径位置（アドレス）毎の記録パワーを、所定の関数で補間して求めるものである。従って、例えばスキューや面ぶれのような機械的特性や有機色素の塗布ムラ等があってディスク半径位置（アドレス）に対する記録感度が変化する場合であっても、データ書き込み位置における最適な記録パワーに近い記録パワーで、データを記録することができる。このことにより、記録パワーの設定精度が向上し、ノイズが少ない再生特性のよいデータを記録することができる。
【０１３５】
次に、多層の光ディスクにおける信号振幅補正方法について説明する。図１３は、その方法を示すフローチャートである。先ず、ステップＳ５１乃至５３に示すように、光記録再生装置にディスクがロードされると多層ディスクか否かの判別を行い、次に記録可能か否かの判別を行う。多層ディスクでかつ記録可能だと判断した後、第１の記録層Ｌ０の例えば試し書き領域ＴＺ０１にて試し書きを実行し（ステップＳ５４）、信号レベル（例えばＲＦ信号、Ｔｒａｃｋｉｎｇ信号、Ｆｏｃｕｓ信号、ジッタ、Ａｓｙｍｍｅｔｒｙ、変調度（Ｉ１４／Ｉｔｏｐ）、開口率（Ｉ３／Ｉ１４）、ＡＤＩＰエラー、ＰＩエラー、Ｗｏｂｂｌｅ振幅等）を測定する（ステップＳ５５）。
【０１３６】
次に、第２の記録層Ｌ１の試し書き領域ＴＺ１１にて試し書きを実行し（ステップＳ５６）、信号レベル（例えば、ＲＦ信号、Ｔｒａｃｋｉｎｇ信号、Ｆｏｃｕｓ信号、ジッタ、Ａｓｙｍｍｅｔｒｙ、変調度（Ｉ１４／Ｉｔｏｐ）、開口率（Ｉ３／Ｉ１４）、ＡＤＩＰエラー、ＰＩエラー、Ｗｏｂｂｌｅ振幅等）を測定する（ステップＳ５７）。
【０１３７】
次に、第１の記録層Ｌ０、第２の記録層Ｌ１で得られた信号振幅の比からそれぞれの記録層に最適なゲイン、バイアス、ＲＦデータスライサー、オフセット量などを補正する（ステップＳ５８）。なお、このとき、第２の記録層Ｌ１の試し書き領域ＴＺ１１にて試し書きを実行してから第１の記録層Ｌ０の試し書き領域ＴＺ０１にて試し書きを実行してもよい。
【０１３８】
また、これら試し書きの結果から、例えば必要な記録パワーがレーザダイオードの出力の定格を超える場合に記録スピードを低くする等、記録スピードの変更又は制限を行ってもよい。即ち、システム制御部１０４は、上述の記録パワー補正関数により設定される記録パワーが、所定の閾値（例えばレーザダイオード３１が出力できる最大の記録パワー）よりも大きくなった場合には、ホストコンピュータ１０３から与えられた記録速度の設定条件を変えて、速度を減速させた条件とし、再度記録パワー補正関数を算出する等すればよい。例えば、ゾーンＣＬＶ方式では、内周側よりも外周側の方が記録速度が速くなり、それに伴い記録パワーも大きくなる。そのため、外周側のゾーンでの記録パワーが、レーザダイオードの定格以上の記録パワーに設定されてしまう可能性があるからである。
【０１３９】
この場合、システム制御部１０４は、記録パワーが所定の閾値よりもオーバーしてしまう位置まで記録すると、データの記録を中断し、記録速度及び記録パワー補正関数を再設定された条件に変更し、記録を再開するようにすればよい。
【０１４０】
これにより、内周側と外周側の２つのＰＣＡに対して試し書きを行い、内周側と外周側の両者のＰＣＡから求められた記録パワーから、ディスクの半径位置（アドレス）毎の記録パワーを、所定の関数で補間して求めることができる。また、この第３の設定方法では、補間結果から求められた記録パワーが、所定の閾値よりも大きい場合には、その所定の閾値よりも大きな記録パワーとなる記録位置では、記録速度を遅くしてデータを記録している。このため、例えば、ゾーンＣＬＶ方式の場合などで記録感度が低いため高速記録を実現できない場合であっても、内周から外周まで一律に記録速度を落として記録するのではなく、内周側での記録速度は定格倍速のままで記録し、外周側の領域の記録速度だけを落としといった処理を行うことができる。また、この場合には、再生時においても再生スピードを適宜変更制御するものとする。  更に、光ディスクは、記録層にＤＶＤ−Ｒ／ＲＷ（アドレスフォーマットはＬＰＰ方式）とＤＶＤ＋Ｒ／ＲＷ（アドレス方式はＡＤＩＰ）を積層したものでもよく、再生専用の再生層を有するものであってもよい。
【０１４１】
本実施の形態においては、少なくとも記録層を２以上有する光ディスクにおいて試し書きを行う場合、試し書き領域が各記録層間でオーバラップしないようにレイアウトすることで、試し書き時における記録層間のクロストークの影響を排除、又は軽減、調整することが可能となる。
【０１４２】
また、実際に記録をする領域を有する記録層とは異なる記録層の対応する領域に記録信号が有るか無いかの状態を予め検出しておくことで、試し書き時における記録層間のクロストークの影響を排除、軽減、又は調整することが可能になり、記録領域の状態に応じて記録パワーを変更、調整することが可能となる。
【０１４３】
また、各記録層に複数の試し書き領域を設ければ、記録を開始しようとするアドレスに近い同一の記録層、又は記録を開始しようとするアドレスに近い他の記録層にある試し書き領域で試し書きを行うことで記録開始までの時間を短縮することが可能となる。
【０１４４】
更に、各記録層における試し書き領域、又は同一記録層における２以上の試し書き領域で得られた複数の試し書きの結果から記録パワーを決定することにより、最適記録パワーを求める精度が向上する。
【０１４５】
更にまた、各記録層における例えば内周側及び外周側試し書き領域で得られた試し書きの結果から記録パワーの補正（内外周の感度差を補正）をすることが可能になる。また、複数の記録層で得られた試し書きの結果から記録層間の信号振幅の差を検出し、それに基づき補正することが可能になる。
【０１４６】
また、本実施の形態において説明したディスクレイアウトは、ＤＶＤ＋Ｒ規格と互換性を有した構成となっており、従って、多層構造の光ディスクにおいても、各記録層に少なくとも２以上の試し書き領域を設けることができ、光ディスクの記録パワーを安定して求めることが可能となると共に、記録済の光ディスクを既存の再生装置において再生することが可能となる。
【０１４７】
なお、本発明は上述した実施の形態のみに限定されるものではなく、本発明の要旨を逸脱しない範囲において種々の変更が可能であることは勿論である。例えば、上述の実施の形態では、光記録媒体を２層の記録層を有するＤＶＤとして説明したが、記録層は２層以上でもよく、また、光記録媒体もＤＶＤに限らず、例えば同心円状又は螺旋状に記録トラックが設けられた光カード等にも適用できることはいうまでもない。
【０１４８】
（３）実施例
次に、ＤＶＤ＋Ｒ規格をベースとした２層記録用の光ディスク（ＤＶＤ＋Ｒ２）の実施例１〜３について説明する。実施例１〜３を説明する前に、先ず、記録層が１層の光ディスクの例として、現行のＤＶＤ＋Ｒのフォーマットについて説明する。図１４は、現行のＤＶＤ＋Ｒのフォーマット（線速度：３．４９ｍ／ｓ、トラックピッチ：０．７４μｍとした場合）を示す図である。なお、図１４乃至図２０においては、紙面上側が内周側、紙面下側が外周側を示す。また、縦軸は、半径の大きさを示すが、都合上半径の大きさと、縦軸とは比例していない。
【０１４９】
図１４に示すＤＶＤ＋Ｒにおいては、データ領域（Ｕｓｅｒ  Ｄａｔａ）は、内周から外周方向に記録され、また、内周側試し書き領域（Ｔｅｓｔ  Ｚｏｎｅ）及びカウント領域（Ｃｏｕｎｔ  Ｚｏｎｅ）、並びに外周側試し書き領域（Ｔｅｓｔ  Ｚｏｎｅ）及びカウント領域（Ｃｏｕｎｔ  Ｚｏｎｅ）は、外周から内周方向へ記録される。
【０１５０】
各領域は、ＥＣＣ（Ｅｒｒｏｒ  Ｃｏｒｒｅｃｔｉｏｎ  Ｃｏｄｅ）ブロック単位となっており、試し書き領域（Ｔｅｓｔ  Ｚｏｎｅ）は、１０２４ＥＣＣブロックからなる。また、ＰＳＮ（ｐｈｙｓｉｃａｌ  ｓｅｃｔｏｒ  ｎｕｍｂｅｒ）は、物理セクタ番号を示す。
【０１５１】
（３−１）実施例１
２層記録用・光記録媒体の論理フォーマット（線速度：３．８４ｍ／ｓ、トラックピット０．７４μｍとした場合）のレイアウトの一例を実施例１として図１５及び図１６に示す。図１５及び図１６は、夫々レーザ光の入射側に配置される第１の記録層Ｌ０及びレーザ光入射側とは反対側に配置される第２の記録層Ｌ１を示すものであって、上述の図２に示す試し書き領域（ＴｅｓｔＺｏｎｅ）の一部がオーバラップする例を示す。
【０１５２】
なお、図１５乃至図２０において、影を付けて示すフィールドＦ１は、現行のＤＶＤフォーマットとの互換性確保のため、半径位置の制約から移動できないフィールドを示す。また、フィールドＦ２は、ＤＶＤ＋Ｒ規格との互換性確保のため、ＰＳＮ及び容量を変えないほうが好ましいフィールドを示し、また、フィールドＦ３は、現行のＤＶＤ＋Ｒフォーマットと異なるフィールドを示すものとする。この図１５及び図１６に示す例においては、試し書き領域の一部がオーバラップして配置されている。
【０１５３】
（３−２）実施例２
２層記録用・光記録媒体の論理フォーマットのレイアウトの他の例を実施例２として図１７及び図１８に示す。図１７及び図１８は、夫々第１の記録層及び第２の記録層を示す。
【０１５４】
図１７及び図１８に示すように、第１の記録層Ｌ０の試し書き領域（ＴｅｓｔＺｏｎｅ）の半径位置に対応する第２の記録層Ｌ１の領域は、調整領域（Ｂｌａｎｋ）となっており、逆に、第２の記録層Ｌ１の試し書き領域（ＴｅｓｔＺｏｎｅ）の半径位置に対応する第１の記録層Ｌ０の領域は、調整領域（Ｂｌａｎｋ）となっており、第１の記録層の試し書き領域と第２の記録層の試し書き領域とは、全く重複していない。本実施例２は、上述した図３又は図４に対応する実施例であって、この調整領域（Ｂｌａｎｋ）を使用して、記録を開始しようとする記録予定データ領域と同様の状態の試し書き領域を形成することができる。
【０１５５】
（３−３）実施例３
２層記録用・光記録媒体の論理フォーマットのレイアウトの他の例を実施例３として図１９及び図２０に示す。図１９及び図２０は、夫々第１の記録層及び第２の記録層を示す。
【０１５６】
実施例２と同様、試し書き領域と同半径位置の他の記録層に調整領域（Ａｄｊｕｓｔ  Ａｒｅａ）が設けられている。この調整領域も、基本的には何も記録されていない未記録状態（Ｂｌａｎｋ）であるが、記録を開始しようとする記録層の例えばデータ領域（ＵｓｅｒＤａｔａ）と同半径位置の他の記録層にデータが記録されているか否かの状態に応じて、この調整領域に予めデータを記録してから、試し書き領域で試し書きを行い、最適な記録パワーを求めることができる。
【０１５７】
この場合、例えば第１の記録層Ｌ０の調整領域は、第２の記録層Ｌ１の試し書き領域（ＴｅｓｔＺｏｎｅ）に対応した位置のみ使用可能であって、調整領域にデータを記録する場合は、予め決められた記録パワーでべた書きされるものとする。
【０１５８】
【発明の効果】
以上詳細に説明したように、本発明に係る光記録媒体においては、少なくとも２以上の記録層を有し、一方の面から光が照射されることによって各記録層にデータの書き込みが可能な光記録媒体であって、上記各記録層は同心円状又は螺旋状に記録トラックが設けられ、且つ各記録層はレーザ光の記録パワーを調整するための試し書きデータが書き込まれる試し書き領域を有し、上記試し書き領域は、上記各記録層間において、少なくとも一部の領域が上記記録トラックの半径方向にオーバラップしないように配されているので、多層の記録層からなる光記録媒体の各記録層に試し書き領域を設ける際、記録を開始しようとする記録層と同一半径位置における他の記録層の状態を検知すれば、例えばオーバラップしない領域を、上記他の記録層の状態と同様の状態としてから試し書きを行うことができ、各記録層間でのクロストークを考慮して極めて正確に記録パワーを求めることができる。
【０１５９】
本発明に係る記録装置においては、少なくとも２以上の記録層を有する光記録媒体にデータを記録する記録装置において、各記録層に同心円状又は螺旋状に記録トラックが設けられ、且つ各記録層にレーザ光の記録パワーを調整するための試し書きデータが書き込まれる試し書き領域が設けられ、該試し書き領域が上記各記録層間において、少なくとも一部の領域が上記記録トラックの半径方向にオーバラップしないように配されている光記録媒体に対し、一方の面からレーザ光を照射して各記録層にデータを記録する記録手段と、上記記録手段を制御する制御手段とを有し、上記制御手段は、上記記録層に対してデータを記録する際に、少なくとも一の記録層の試し書き領域で試し書きを行わせ、該試し書き結果に基づき少なくとも１以上の記録層におけるレーザ光の記録パワーを設定するので、多層の記録層を有する光記録媒体の試し書き領域が各記録層間で少なくとも一部がオーバラップしないものとすることで、試し書きを行う際に、記録を開始しようとする領域と同様の状態の試し書き領域を用意することができ、極めて正確に記録手段の記録パワーを設定することができ、また、各記録層に試し書き領域を有しているため、１の試し書き領域に試し書きをして他の記録層の記録パワーを求めたり、複数の記録層の試し書き領域にて試し書きを行って記録パワーを求め、これらの結果から１の記録層の記録パワーを求めることも可能となる。
【図面の簡単な説明】
【図１】本発明の実施の形態における２層記録に対応した記録再生装置（ＣＤ／ＤＶＤ±Ｒ／ＲＷドライブ）を示すブロック図である。
【図２】本発明の実施の形態の光記録媒体における第１のディスクレイアウトを示す模式図である。
【図３】同光記録媒体の第２のディスクレイアウトを示す模式図である。
【図４】同光記録媒体の第３のディスクレイアウトを示す模式図である。
【図５】同光記録媒体の第４のディスクレイアウトを示す模式図である。
【図６】（ａ）及び（ｂ）は、夫々２層及び１層構造の光ディスクを示す断面図である。
【図７】本発明の実施の形態における記録再生装置において、多層光ディスクの試し書き方法を示すフローチャートである。
【図８】同記録再生装置において、調整領域を有する多層光ディスクの試し書き方法を示すフローチャートである。
【図９】同記録再生装置において、調整領域を有する多層光ディスクの試し書き方法の他の例を示すフローチャートである。
【図１０】同記録再生装置において、調整領域を有する多層光ディスクの試し書き方法を示すフローチャートであって、図８におけるステップＳ１４の調整領域を記録するか否かを選択する方法の一例を示すフローチャートである。
【図１１】同記録再生装置において、データ領域の状態に応じて、記録パワーを変更する方法を示すフローチャートできある。
【図１２】同記録再生装置において、１つの試し書き領域から複数の記録パワーを求める方法を示すフローチャートである
【図１３】同記録再生装置において、光ディスクの信号振幅を補正する方法について説明するフローチャートである。
【図１４】現行のＤＶＤ＋Ｒのフォーマットを示す図である。
【図１５】２層記録用・光記録媒体の論理フォーマットのレイアウトの一例（実施例１）を示す図であって、レーザ光の入射側に配置される第１の記録層Ｌ０を示す模式図である。
【図１６】図１５に対応する第２の記録層Ｌ１を示す模式図である。
【図１７】２層記録用・光記録媒体の論理フォーマットのレイアウトの他の例（実施例２）を示す図であって、レーザ光の入射側に配置される第１の記録層Ｌ０を示す模式図である。
【図１８】図１７に対応する第２の記録層Ｌ１を示す模式図である。
【図１９】２層記録用・光記録媒体の論理フォーマットのレイアウトの他の例（実施例３）を示す図であって、レーザ光の入射側に配置される第１の記録層Ｌ０を示す模式図である。
【図２０】図１９に対応する第２の記録層Ｌ１を示す模式図である。
【符号の説明】
１  透明樹脂基板、２  第１の記録膜、３  反射膜、１１  記録膜、１２  反射膜、１３  基板、２０  中間層、Ｌ０  第１の記録層、Ｌ１  第２の記録層、ＴＺ０１，ＴＺ０２，ＴＺ１１，ＴＺ１２，  試し書き領域、Ａ０２，Ａ０６Ｃ，Ａ１２，Ａ１６  カウント領域、Ａ０３，Ａ１３  管理領域、Ａ０４，Ａ１４  データ領域、Ａ００，Ａ１０，Ａ＿ｏｖｅｒｒａｐ  領域、１０１光ディスク記録再生装置、１０２  光ディスク、１０３  ホストコンピュータ、１０４  システム制御部、１０６  記録信号処理部、１０７  光ピックアップ、１０８  ＲＦ信号処理部、１１０  サーボ制御部、１１４  ＬＰＰ／ＡＤＩＰアドレスデコード部
【図１】
2005011404.tif 000003
【図２】
2005011404.tif 000004
【図３】
2005011404.tif 000005
【図４】
2005011404.tif 000006
【図５】
2005011404.tif 000007
【図６】
2005011404.tif 000008
【図７】
2005011404.tif 000009
【図８】
2005011404.tif 000010
【図９】
2005011404.tif 000011
【図１０】
2005011404.tif 000012
【図１１】
2005011404.tif 000013
【図１２】
2005011404.tif 000014
【図１３】
2005011404.tif 000015
【図１４】
2005011404.tif 000016
【図１５】
2005011404.tif 000017
【図１６】
2005011404.tif 000018
【図１７】
2005011404.tif 000019
【図１８】
2005011404.tif 000020
【図１９】
2005011404.tif 000021
【図２０】
2005011404.tif 000022